(57)【要約】  本発明は、鉱質化コア・シェル型マイクロカプセルスラリーを製造するための方法に関するものであり、鉱質化マイクロカプセルは鉱物質層を有している。この方法は、プロセスにおいて必要とされるポリイソシアネートの量が少ないことによって顕著に特徴付けられる。前記の方法により得られる鉱質化コア・シェル型マイクロカプセルもまた本発明の対象である。前記マイクロカプセルを含有する付香用組成物および消費者製品、特にホームケアもしくはパーソナルケア製品の形態の付香された消費者製品もまた本発明の一部である。【特許請求の範囲】
【請求項１】
鉱質化コア・シェル型マイクロカプセルのスラリーを製造する方法であって、以下のステップ：
（ｉ）疎水性材料、好ましくは香料オイルを含有するオイルに、少なくとも２個のイソシアネート基を有する少なくとも１種のポリイソシアネートを溶解させて、油相を形成するステップ、
（ｉｉ）帯電した乳化剤の水溶液を製造して、水相を形成するステップ、
（ｉｉｉ）前記水相に前記油相を添加して、水中油型エマルションを形成するステップ、
（ｉｖ）界面重合を誘発するために適切な条件を適用して、スラリーの形態のコア・シェル型マイクロカプセルを形成するステップ
（ｖ）前記マイクロカプセルのシェル上に、少なくとも１種の鉱物質前駆体を吸着させるステップ
（ｖｉ）前記マイクロカプセルのシェル上での鉱物質層の成長を誘発するために適切な条件を適用するステップ
を含む方法において、ステップ（ｉｖ）のスラリーの全質量を基準として、１質量％未満の量で、前記ポリイソシアネートを添加することを特徴とする、鉱質化コア・シェル型マイクロカプセルのスラリーを製造する方法。
【請求項２】
前記乳化剤がアニオン性乳化剤であり、ステップ（ｉｖ）で界面重合が完了した時にアニオン性表面が形成される、請求項１に記載の方法。
【請求項３】
前記乳化剤が、ポリビニルアルコール、ポリビニルピロリドン、アラビアゴム、カゼイン、カゼイン酸ナトリウム、ダイズタンパク質、ダイズタンパク質加水分解物、ピープロテイン、ミルクプロテイン、ホエイプロテイン、ペクチン、テンサイペクチン、セリシン、ウシ血清アルブミン、ゼラチンおよびこれらの混合物からなる群から選択される、請求項２に記載の方法。
【請求項４】
少なくとも１種の鉱物質前駆体溶液中でコア・シェル型マイクロカプセルをインキュベーションすることにより前記マイクロカプセルのシェル上に前記鉱物質前駆体を吸着させ、前記鉱物質前駆体溶液は、硫酸鉄（ＩＩ）溶液、塩化鉄（ＩＩＩ）溶液、カルシウムベースの塩溶液、リン酸塩ベースの塩溶液、炭酸塩ベースの塩溶液、チタンベースの前駆体溶液、亜鉛ベースの前駆体溶液およびこれらの混合物の群から選択される、請求項１から３までのいずれか１項に記載の方法。
【請求項５】
前記鉱物質前駆体が、酸化ケイ素を含有していない、請求項１から４までのいずれか１項に記載の方法。
【請求項６】
ステップ（ｖ）で得られたマイクロカプセルを、前記鉱物質前駆体とは反対の電荷を有する第二の鉱物質前駆体の溶液中で、またはステップ（ｖ）の前記鉱物質前駆体の鉱質化を誘発するための溶液中でインキュベーションすることにより、ステップ（ｖｉ）における鉱物質の成長を誘発する、請求項１から５までのいずれか１項に記載の方法。
【請求項７】
第一の鉱物質前駆体溶液がカルシウムベースの溶液であり、第二の鉱物質前駆体溶液がリン酸塩ベースの溶液であるか、あるいは第一の鉱物質前駆体溶液がカルシウムベースの溶液であり、第二の鉱物質前駆体溶液が炭酸塩ベースの溶液である、請求項６に記載の方法。
【請求項８】
ステップ（ｉｖ）のスラリーの全質量を基準として、０．１〜１質量％未満の間に含まれる量で、好ましくは０．３〜０．８質量％の間の量でポリイソシアネートを添加する、請求項１から７までのいずれか１項に記載の方法。
【請求項９】
−  オイルベースのコア、
−  ポリ尿素シェルまたはポリウレタンシェルおよび
−  鉱物質層
から構成されており、前記ポリ尿素シェルまたはポリウレタンシェルは、スラリーの全質量を基準として、少なくとも２個のイソシアネート基を有するポリイソシアネートを１質量％未満含有している、少なくとも１つのマイクロカプセルを含有する鉱質化コア・シェル型マイクロカプセルのスラリー。
【請求項１０】
前記鉱物質層が、酸化鉄、オキシ水酸化鉄、酸化チタン、酸化亜鉛、炭酸カルシウム、リン酸カルシウム、およびそれらの混合物からなる群から選択される材料を含有している、請求項９に記載の鉱質化コア・シェル型マイクロカプセルのスラリー。
【請求項１１】
（ｉ）請求項９または１０に記載のマイクロカプセルのスラリーであって、疎水性材料が香料を含有するマイクロカプセルスラリー香料、
（ｉｉ）香料担体および香料ベースからなる群から選択される少なくとも１種の成分
（ｉｉｉ）任意で少なくとも１種の香料助剤
を含有する、付香用組成物。
【請求項１２】
−  パーソナルケア用活性ベースおよび
−  請求項９もしくは１０に記載のマイクロカプセルまたは請求項１１に記載の付香用組成物
を含有する消費者製品であって、パーソナルケア組成物の形態、好ましくはシャンプー、ヘアコンディショナーまたはシャワージェルの形態の消費者製品。
【請求項１３】
−  ホームケアまたは繊維ケア用活性ベースおよび
−  請求項９もしくは１０に記載のマイクロカプセルまたは請求項１１に記載の付香用組成物
を含有する消費者製品であって、ホームケアもしくは繊維ケア組成物の形態、好ましくは洗剤または繊維柔軟剤の形態の消費者製品。
【発明の詳細な説明】
【技術分野】
【０００１】
本発明は、鉱質化マイクロカプセルが鉱物質層を有する、鉱質化コア・シェル型マイクロカプセルのスラリーを製造するための方法に関する。この方法は、プロセスにおいて必要とされるポリイソシアネートの量が少ないという事実によって著しく特徴付けられている。
【０００２】
前記の方法によって得られる鉱質化コア・シェル型マイクロカプセルスラリーもまた本発明の対象である。
【０００３】
前記マイクロカプセルを含有する付香用組成物および消費者製品、特にホームケア製品またはパーソナルケア製品の形態の、付香された消費者製品もまた本発明の一部である。
【背景技術】
【０００４】
香料産業が直面する問題の１つは、発香性化合物の揮発性、特にトップノートの揮発性に起因して、嗅覚的な利益が比較的急速に失われることである。この問題は一般に、デリバリーシステム、たとえば香料を含有するカプセルを使用して、フレグランスを制御された様式で放出することで解決が試みられている。
【０００５】
香料デリバリーシステムが消費者製品中で首尾よく使用されるためには、一定の基準を満たしていなくてはならない。第一の要件は、攻撃的な媒体中での安定性である。実際、デリバリーシステムは、安定性の問題を被ることがあり、特に界面活性剤ベースの製品、たとえば洗剤に組み込まれる場合が問題であり、デリバリーシステムは分解し、香料を保持する能力において効率を失う傾向がある。カプセルの良好な安定性および良好な分散を得ることもまた困難である。分散係数は重要である。なぜなら、カプセルの凝集はカプセルを含有する製品が相分離を生じる傾向を高め、これが事実上の欠点となるからである。他方、香料デリバリーシステムは、消費者により最終製品が実際に使用されている間に、特に匂いの性能に関して効果を発揮しなくてはならない。というのも、香料は必要とされる時に放出される必要があるからである。香料産業が直面するもう１つの問題は、最終製品の使用が意図されている処理のための基材、たとえばテキスタイル、肌、毛髪またはその他の表面上に良好に付着して、洗い流すステップの後であっても基材上に残存するデリバリーシステムを提供することである。従来技術では、この特殊な問題に対応するため、カチオン性カプセルを使用することが記載されている。カチオン性カプセルは、いくつかの適用においてより良好に分散することでも知られている。
【０００６】
たとえば国際公開第０１／４１９１５号は、カチオン性に帯電したカプセルの製造方法を開示している。このような方法は、多種多様なマイクロカプセルに適用可能であると考えられており、特にポリウレタン−ポリ尿素マイクロカプセルが言及されている。カプセルは形成後にカチオン性ポリマーによる処理にとって好ましい媒体中におかれる。カチオン性ポリマーによる処理は、基本となるカプセルスラリーの精製後に、カプセル形成の際にカプセル壁に組み込まれなかったアニオン性もしくは中性ポリマーならびにカプセル封入プロセスに関与していた、その他の遊離の帯電化合物を除去するために実施される。特に、カプセルは希釈され、単離され、次いで水中に再懸濁されるか、または洗浄されてアニオン性化合物がさらに除去される。精製ステップの後、カプセルを強力に撹拌し、カチオン性ポリマーが添加される。この目的で、他の多くの適切なポリマーの中から、部分的に四級化されたポリビニルピロリドンのコポリマーが引用されている。記載の方法は、カプセル形成に続く複数のステップを包含しているため、この方法は時間がかかり、経済的に有益ではない。
【０００７】
米国特許出願第２００６／０２１６５０９号明細書もまた、ポリ尿素カプセルに正電荷を帯電させる方法を開示している。この方法は、カプセル壁の形成中にポリアミンを添加することに関するものであり、そのためカプセルは、媒体のｐＨに依存して潜在的な電荷を有している。カプセルはひとたび形成されると、引き続き酸の作用によりカチオン化されるか、またはアルキル化されて恒久的な正電荷を備える。従って、カチオン性化合物は、カプセル壁と反応し、カプセル壁は化学的に変化する。
【０００８】
国際公開第２００９／１５３６９５号は、特定の安定剤を使用することに基づいて恒久的な正電荷を備えたポリ尿素マイクロカプセルを製造するための簡便化された方法を開示しており、カプセルは基材上に良好に付着して存在している。
【０００９】
従って、マイクロカプセルの性能、特に消費者製品中での付着および安定性に関する性能について妥協することなく、かつ活性成分のデリバリーに関して良好な性能をもたらす新規のデリバリーシステムを使用する必要性がなお存在する。
【００１０】
本発明は、これまでに知られていた、たとえばカチオン性のデリバリーシステムと比較して、付着特性に関して改善を示す新規のマイクロカプセルおよびマイクロカプセルを製造するために限定的な量のポリイソシアネートを使用する方法を提供することで、この問題を解決するものである。
【００１１】
発明の概要
本発明は、付着特性が高められたマイクロカプセルを製造する方法を提供する。特にマイクロカプセルのシェル上への鉱物質層の特定の成長は意外にも、基材上でのマイクロカプセルの付着割合を著しく改善する。さらに、プロセスにおいて限定的な量のポリイソシアネートを使用しても、マイクロカプセルは消費者製品ベース中で満足のいく安定性を示す。
【００１２】
従って本発明の第一の対象は、
（ｉ）疎水性材料、好ましくは香料オイルを含有するオイル中に、少なくとも２個のイソシアネート基を有する少なくとも１種のポリイソシアネートを溶解させて油相を形成するステップ、
（ｉｉ）帯電した乳化剤の水溶液を製造して水相を形成するステップ、
（ｉｉｉ）前記油相を前記水相に添加して水中油型エマルションを形成するステップ、
（ｉｖ）界面重合を誘発するために適切な条件を適用して、スラリーの形態のコア・シェル型マイクロカプセルを形成するステップ、
（ｖ）少なくとも１種の鉱物質前駆体を前記マイクロカプセルのシェル上に吸着させるステップ、
（ｖｉ）前記マイクロカプセルのシェル上での鉱物質層の成長を誘発するために適切な条件を適用するステップ
を含む、鉱質化されたコア・シェル型マイクロカプセルのスラリーを製造する方法であって、ステップ（ｉｖ）のスラリーの全質量を基準として１質量％未満の量でポリイソシアネートを添加することを特徴とする方法である。
【００１３】
本発明の第二の対象は、上記の方法により得られる硬質化コア・シェル型マイクロカプセルのスラリーである。
【００１４】
本発明の第三の対象は、上記のマイクロカプセルを含有する付香用組成物であって、オイルベースのコアが香料を含有するものである。
【００１５】
本発明の第四の対象は、上記のマイクロカプセルまたは付香用組成物を含有する消費者製品である。
【００１６】
本発明の第五の対象は、表面上でのマイクロカプセルの付着を改善する方法であって、前記表面を上記の付香用組成物または消費者製品によって処理することを含む方法である。
【図面の簡単な説明】
【００１７】
【図１】図１は、本発明による鉱質化マイクロカプセル（カプセルＡ）の走査型電子顕微鏡写真を示す
【図２】図２は、本発明による鉱質化マイクロカプセル（カプセルＢ）の走査型電子顕微鏡写真を示す
【図３】図３は、本発明による鉱質化マイクロカプセル（カプセルＣ）の走査型電子顕微鏡写真を示す
【図４】図４は、本発明による鉱質化マイクロカプセル（カプセルＤ）の走査型電子顕微鏡写真を示す
【図５】図５は、鉱質化されていない比較用マイクロカプセル（カプセルＸ）の走査型電子顕微鏡写真を示す
【図６】は、本発明によるマイクロカプセルのエネルギー分散分光分析（ＥＤＳ）を示す
【図７】図７は、界面活性剤混合物サンプルから毛髪上での本発明による鉱質化マイクロカプセル（カプセルＡ、Ｂ、ＣおよびＤ）のマイクロカプセル付着のパーセンテージを、スムーズな対照カプセル（カプセルＸ）との比較で示す
【図８】図８は、マイクロカプセルの熱重量分析を示す
【図９】図９は、繊維柔軟剤およびシャワージェルベース（３７℃で１週間）における本発明によるマイクロカプセルの香料オイル漏出を示す
【図１０】図１０は、摩擦前と摩擦後の吸取紙からの、制汗剤ベース中のマイクロカプセルスラリーの嗅覚的インパクトを示す
【図１１】図１１は、界面活性剤混合物サンプル中で３ヶ月インキュベーションした、本発明による鉱質化マイクロカプセル（カプセルＣ）の走査型電子顕微鏡写真を示す
【発明を実施するための形態】
【００１８】
その他の記載がない限り、パーセンテージ（％）は、組成物の質量百分率を意味する。
定義
「コア・シェル型マイクロカプセル」または同様の記載は、本発明では、ミクロン範囲の粒径分布（たとえば約１〜３０００ミクロンに含まれる平均直径（ｄ（ｖ，０．５））を有し、かつ外部の固体オリゴマーベースのシェルまたはポリマーシェルと、外部のシェルにより封入された内部の連続相とを有するカプセルを意味する。疑義を回避するために、本発明では、コアセルベートはコア・シェル型マイクロカプセルであるとみなされる。
【００１９】
「鉱質化コア・シェル型マイクロカプセル」とは、無機固体結晶質もしくは非晶質材料の成長により誘発される鉱質化された表面を有するマイクロカプセルであると理解すべきである。
【００２０】
「帯電した乳化剤」とは、乳化特性を有し、かつ負に帯電および／または正に帯電した化合物であると理解すべきである。帯電した乳化剤は、帯電したバイオポリマーであってもよい。
【００２１】
「帯電したバイオポリマー」とは、負に帯電したバイオポリマー（アニオン性バイオポリマー）および／または正に帯電したバイオポリマー（カチオン性もしくはプロトン化バイオポリマー）および／または両性イオン性バイオポリマーであると理解すべきである。非限定的な例として、アラビアゴム、ペクチン、セリシン、カゼイン酸ナトリウムおよび両親媒性タンパク質、たとえばダイズ、マメ、ミルク、ウシ血清アルブミン、ゼラチンをアニオン性バイオポリマーとして挙げることができる。
【００２２】
「バイオポリマー」とは、生体により産出される生体高分子を意味する。バイオポリマーは、１，０００〜１，０００，０００，０００ダルトンの範囲の分子量分布によって特徴付けられる。これらの高分子は、炭水化物（糖ベース）またはタンパク質（アミノ酸ベース）であるか、あるいはこれら両方の組み合わせ（ゴム）であり、線状であっても分岐状であってもよい。本発明によるバイオポリマーはさらに化学的に変性されていてもよい。
【００２３】
１実施態様によれば、バイオポリマーは両親媒性であるか、またはアニオン性、つまり９超のｐＨにおいて水中で負に帯電している。
【００２４】
本発明の文脈で、「鉱物質層」とは、通常シェルの終端帯電表面(terminating charged surface)に成長する安定した無機の結晶質もしくは非晶質相から構成されており、テクスチャ構造の鉱物質表面をもたらすものである。
【００２５】
「鉱物質前駆体」とは、所望の鉱物質相の成長のために必要とされる鉱物質前駆体であると理解すべきである。鉱物質前駆体は好ましくは、所望の固体鉱物質相の成長のために必要なイオンを少なくとも部分的に含有する水溶性無機塩である。
【００２６】
「インキュベーション」という用語は、本発明の文脈では、前駆体溶液中にマイクロカプセルを浸し、前記溶液とマイクロカプセルとが相互作用する時間をもたせる行為を記載するために使用される。
【００２７】
「ポリ尿素ベース」のカプセル壁またはシェルとは、ポリマーが、アミノ官能性の架橋剤により、または界面重合の間にイソシアネート基が加水分解されることでさらにイソシアネート基と反応することができるアミノ基を生みだすことによって作られた尿素結合を含むポリマーを意味する。
【００２８】
「ポリウレタンベース」のカプセル壁またはシェルとは、ポリマーが、界面重合の間にポリオールとイソシアネート基とが反応することによって作られたウレタン結合を有するポリマーを意味する。
【００２９】
明確性を考慮して、本発明における「分散液」という表現は、異なった組成の連続相中に粒子が分散した系を意味し、これは特に懸濁液またはエマルションを含む。
【００３０】
本発明による疎水性材料は、「不活性」材料、たとえば溶剤、または活性成分であってもよい。
【００３１】
１実施態様によれば、疎水性材料は、疎水性の活性成分である。
【００３２】
「活性成分」とは、任意の材料を意味し、単独の成分であっても、水と混合した時に２相の分散液を形成する複数成分の混合物であってもよい。
【００３３】
疎水性活性成分は好ましくはフレーバー、フレーバー成分、香料、香料成分、機能性食品、化粧品、殺虫剤、殺生物剤およびこれらの混合物からなる群から選択される。
【００３４】
疎水性の内側相中に存在しうる殺虫剤の性質および種類は、ここでより詳細な記載を保証するものではないし、そのような詳細な記載はいずれにしても網羅的なものにはなりえず、当業者であれば、自身の一般的な知識と、意図する使用もしくは適用に従って選択することができるであろう。
【００３５】
このような殺虫剤の例は、カバノキ、ＤＥＥＴ（Ｎ，Ｎ−ジエチル−ｍ−トルアミド）、レモンユーカリ（Corymbia citriodora）の精油およびその活性化合物であるｐ−メンタン−３，８−ジオール（ＰＭＤ）、イカリジン（ヒドロキシエチルイソブチルピペリジンカルボキシレート）、ネペラクトン、シトロネラ油、ニーム油、ヤチヤナギ（Myrica Gale）、ジメチルカルベート、トリシクロデセニルアリルエーテル、ＩＲ３５３５（３−［Ｎ−ブチル−Ｎ−アセチル］−アミノプロピオン酸、エチルエステル、エチルヘキサンジオール、ジメチルフタレート、メトフルトリン、インダロン、ＳＳ２２０、アントラニレート系昆虫忌避剤およびこれらの混合物である。
【００３６】
特定の１実施態様によれば、疎水性活性成分は、香料と、機能性食品、化粧品、殺虫剤および殺生物剤からなる群から選択される別の成分との混合物を含有する。
【００３７】
特定の１実施態様によれば、疎水性活性成分は香料を含有する。
【００３８】
「香料オイル」（または「香料」ともいう）とは、ここでは約２０℃で液状の成分または組成物を意味する。上記の任意の実施態様によれば、前記香料オイルは、付香用成分単独であってもよいし、付香用組成物の形の成分混合物であってもよい。「付香用成分」として、ここでは、主目的として匂いを付与するか、または匂いを変調するために使用される化合物を意味する。換言すれば、付香用の成分であるとみなされ、当業者によって、少なくとも組成物の匂いに肯定的な特性もしくは快適さを付与するか、または組成物の匂いを肯定的にもしくは快適に変性することができると認識される成分でなくてはならず、単に匂いを有するのみの成分ではない。本発明の目的にとって、香料オイルもまた、付香用成分と、付香用成分のデリバリーを改善、強化または修正する物質、たとえば香料前駆体、エマルションまたは分散液、ならびに匂いを修正もしくは付与する以上の付加的な利点、たとえば持続性、ブルーミング、悪臭対抗反応、抗菌効果、微生物安定性、殺虫をもたらす組み合わせを含む。
【００３９】
疎水性の内部相中に存在する付香用成分の性質および種類はここでより詳細な記載を保証するものではなく、そのような詳細な記載はいずれにしても網羅的なものにはなりえず、当業者であれば、自身の一般的な知識と、意図する使用もしくは適用および所望の嗅覚的効果に従って選択することができるであろう。一般的には、これらの付香用成分は、アルコール、アルデヒド、ケトン、エステル、エーテル、アセテート、ニトリル、テルペノイド、窒素もしくは硫黄を有するヘテロ環化合物および精油といった多様な化学クラスに属し、前記の付香用補助成分は、天然由来のものであっても、合成されたものであってもよい。これらの補助成分の多くは、S. Arctanderによる著書のPerfume and Flavor Chemicals, 1969, Montclair, New Jersey, USAのような参考文献、またはその最新版、あるいは同様の性質のその他の文献、ならびに香料の分野における数多くの特許文献に列挙されている。前記の成分は、様々な種類の付香用化合物を制御された方法で放出することで知られている化合物であってもよい。
【００４０】
付香用成分は、香料産業において目下使用されている溶剤中に溶解されていてもよい。溶剤はアルコールでないことが好ましい。そのような溶剤の例は、ジエチルフタレート、イソプロピルミリステート、Abalyn(R)（ロジン樹脂、Eastmanから入手可能）、ベンジルベンゾエート、エチルシトレート、リモネンもしくはその他のテルペン、またはイソパラフィンである。溶剤は、好ましくは極めて疎水性であり、かつ高度に立体障害を有するものであり、たとえばAbalyn(R)またはベンジルベンゾエートである。香料は好ましくは３０％未満の溶剤を含有する。香料はより好ましくは２０％未満、より好ましくは１０％未満の溶剤を含有し、これらのパーセンテージは全て、香料の全質量に対する質量によって定義される。最も好ましくは、香料は実質的に溶剤不含である。
【００４１】
好ましい付香用成分は、高い立体障害を有するものであり、特に以下の群の１つからのものである：
−  グループ１：少なくとも１つの直鎖もしくは分岐鎖Ｃ１〜Ｃ４アルキルもしくはアルケニル置換基により置換されたシクロヘキサン、シクロヘキセン、シクロヘキサノンまたはシクロヘキセノン環を含む付香用成分、
−  グループ２：少なくとも１つの直鎖もしくは分岐鎖Ｃ４〜Ｃ８アルキルもしくはアルケニル置換基により置換されたシクロペンタン、シクロペンテン、シクロペンタノンまたはシクロペンテノン環を含む付香用成分、
−  グループ３：フェニル環を有する付香用成分、または少なくとも１つの直鎖もしくは分岐鎖Ｃ５〜Ｃ８アルキルもしくはアルケニル置換基により、または少なくとも１つのフェニル置換基および任意で１つ以上の直鎖もしくは分岐鎖Ｃ１〜Ｃ３アルキルもしくはアルケニル置換基により置換されたシクロヘキサン、シクロヘキセン、シクロヘキサノンまたはシクロヘキセノン環を含む付香用成分、
−  グループ４：少なくとも２つの縮合環または結合したＣ５および／もしくはＣ６環を含む付香用成分、
−  グループ５：カンファー様の環構造を含む付香用成分、
−  グループ６：少なくとも１つのＣ７〜Ｃ２０環構造を含む付香用成分
−  グループ７：３．５超のｌｏｇＰを有し、少なくとも１つのｔ−ブチル置換基もしくは少なくとも１つのトリクロロメチル置換基を含む付香用成分。
【００４２】
これらの群のそれぞれからの成分の例は以下のとおりである：
−  グループ１：２，４−ジメチル−３−シクロヘキセン−１−カルボアルデヒド（入手元：スイス国ジュネーブ在、Firmenich SA社）、イソシクロシトラール、メントン、イソメントン、Romascone(R)（メチル２，２−ジメチル−６−メチレン−１−シクロヘキサンカルボキシレート（入手元：スイス国ジュネーブ在、Firmenich SA社）、ネロン、テルピネオール、ジヒドロテルピネオール、テルペニルアセテート、ジヒドロテルペニルアセテート、ジペンテン、ユーカリプトール、ヘキシレート、ローズオキサイド、Perycorolle(R)（（Ｓ）−１，８−ｐ−メンタジエン−７−オール（入手元：スイス国ジュネーブ在、Firmenich SA社）、１−ｐ−メンテン−４−オール（１ＲＳ，３ＲＳ，４ＳＲ）−３−ｐ−メンタニルアセテート、（１Ｒ，２Ｓ，４Ｒ）−４，６，６−トリメチル−ビシクロ［３，１，１］ヘプタン−２−オール、Doremox(R)（テトラヒドロ−４−メチル−２−フェニル−２Ｈ−ピラン（入手元：スイス国ジュネーブ在、Firmenich SA社）、シクロヘキシルアセテート、シクラノールアセテート、Fructalate(R)（１，４−シクロヘキサンジエチルジカルボキシレート（入手元：スイス国ジュネーブ在、Firmenich SA社）、Koumalactone(R)（（３ＡＲＳ，６ＳＲ，７ＡＳＲ）−ペルヒドロ−３，６−ジメチル−ベンゾ［Ｂ］フラン−２−オン、（入手元：スイス国ジュネーブ在、Firmenich SA社）、Natactone(R)（（６Ｒ）−ペルヒドロ−３，６−ジメチル−ベンゾ［Ｂ］フラン−２−オン（入手元：スイス国ジュネーブ在、Firmenich SA社）、２，４，６−トリメチル−４−フェニル−１，３−ジオキサン、２，４，６−トリメチル−３−シクロヘキセン−１−カルボアルデヒド、
−  グループ２：（Ｅ）−３−メチル−５−（２，２，３−トリメチル−３−シクロペンテン−１−イル）−４−ペンテン−２−オール（入手元：スイス国ヴェルニエ在、Givaudan SA社）、（１’Ｒ，Ｅ）−２−エチル−４−（２’，２’，３’−トリメチル−３’−シクロペンテン−１’−イル）−２−ブテン−１−オール（入手元：スイス国ジュネーブ在、Firmenich SA社）、Polysantol(R)（（１’Ｒ，Ｅ）−３，３−ジメチル−５−（２’，２’，３’−トリメチル−３’−シクロペンテン−１’−イル）−４−ペンテン−２−オール（入手元：スイス国ジュネーブ在、Firmenich SA社）、fleuramone、Hedione(R)ＨＣ（メチル−シス−３−オキソ−２−ペンチル−１−シクロペンタンアセテート（入手元：スイス国ジュネーブ在、Firmenich SA社）、Veloutone(R)（２，２，５−トリメチル−５−ペンチル−１−シクロペンタノン（入手元：スイス国ジュネーブ在、Firmenich SA社）、Nirvanol(R)（３，３−ジメチル−５−（２，２，３−トリメチル−３−シクロペンテン−１−イル）−４−ペンテン−２−オール（入手元：スイス国ジュネーブ在、Firmenich SA社）、３−メチル−５−（２，２，３−トリメチル−３−シクロペンテン−１−イル）−２−ペンタノール（入手元：スイス国ヴェルニエ在、Givaudan SA社）、
−  グループ３：ダマスコン、Neobutenone(R)（１−（５，５−ジメチル−１−シクロヘキセン−１−イル）−４−ペンテン−１−オン（入手元：スイス国ジュネーブ在、Firmenich SA社）、ネクタラクトン（（１’Ｒ）−２−［２−（４’−メチル−３’−シクロヘキセン−１’−イル）プロピル］シクロペンタノン）、アルファ−イオノン、ベータ−イオノン、ダマスコン、Dynascone(R)（１−（５，５−ジメチル−１−シクロヘキセン−１−イル）−４−ペンテン−１−オンと１−（３，３−ジメチル−１−シクロヘキセン−１−イル）−４−ペンテン−１−オンの混合物）（入手元：スイス国ジュネーブ在、Firmenich SA社）、Dorinone(R)ベータ（１−（２，６，６−トリメチル−１−シクロヘキセン−１−イル）−２−ブテン−１−オン（入手元：スイス国ジュネーブ在、Firmenich SA社）、Romandolide(R)（（１Ｓ，１’Ｒ）−［１−（３’，３’−ジメチル−１’−シクロヘキシル）エトキシカルボニル］メチルプロパノエート（入手元：スイス国ジュネーブ在、Firmenich SA社）、２−ｔｅｒｔ−ブチル−１−シクロヘキシルアセテート（入手元：USA在、International Flavors and Fragrances社）、Limbanol(R)（１−（２，２，３，６−テトラメチル−シクロヘキシル）−３−ヘキサノール（入手元：スイス国ジュネーブ在、Firmenich SA社）、トランス−１−（２，２，６−トリメチル−１−シクロヘキシル）−３−ヘキサノール（入手元：スイス国ジュネーブ在、Firmenich SA社）、（Ｅ）−３−メチル−４−（２，６，６−トリメチル−２−シクロヘキセン−１−イル）−３−ブテン−２−オン、テルペニルイソブチレート、Lorysia(R)（４−（１，１−ジメチルエチル）−１−シクロヘキシルアセテート（入手元：スイス国ジュネーブ在、Firmenich SA社）、８−メトキシ−１−ｐ−メンテン、Helvetolide(R)（（１Ｓ，１’Ｒ）−２−［１−（３’，３’−ジメチル−１’−シクロヘキシル）エトキシ］−２−メチルプロピルプロパノエート（入手元：スイス国ジュネーブ在、Firmenich SA社）、パラｔｅｒｔ−ブチルシクロヘキサノン、メンテンチオール、１−メチル−４−（４−メチル−３−ペンテニル）−３−シクロヘキセン−１−カルボアルデヒド、アリルシクロヘキシルプロピオネート、シクロヘキシルサリチレート、２−メトキシ−４−メチルフェニルメチルカーボネート、エチル２−メトキシ−４−メチルフェニルカーボネート、４−エチル−２−メトキシフェニルメチルカーボネート、
−  グループ４：メチルセドリルケトン（入手元：USA在、International Flavors and Fragrances社）、ベルジレート、ベチベロール、ベチベロン、１−（オクタヒドロ−２，３，８，８−テトラメチル−２−ナフタレニル）−１−エタノン（入手元：USA在、International Flavors and Fragrances社）、（５ＲＳ，９ＲＳ，１０ＳＲ）−２，６，９，１０−テトラメチル−１−オキサスピロ［４．５］デカ−３，６−ジエンおよび（５ＲＳ，９ＳＲ，１０ＲＳ）異性体、６−エチル−２，１０，１０−トリメチル−１−オキサスピロ［４．５］デカ−３，６−ジエン、１，２，３，５，６，７−ヘキサヒドロ−１，１，２，３，３−ペンタメチル−４−インデンオン（入手元：USA在、International Flavors and Fragrances社）、Hivernal(R)（３−（３，３−ジメチル−５−インダニル）プロパナールと３−（１，１−ジメチル−５−インダニル）プロパナールとの混合物）（入手元：スイス国ジュネーブ在、Firmenich SA社）、Rhubofix(R)（３’，４−ジメチル−トリシクロ［６．２．１．０（２，７）］ウンデセ−４−エン−９−スピロ−２’−オキシラン（入手元：スイス国ジュネーブ在、Firmenich SA社）、９／１０−エチルジエン−３−オキサトリシクロ［６．２．１．０（２，７）］ウンデカン、Polywood(R)（ペルヒドロ−５，５，８Ａ−トリメチル−２−ナフタレニルアセテート（入手元：スイス国ジュネーブ在、Firmenich SA社）、オクタリノール、Cetalox(R)（ドデカヒドロ−３ａ，６，６，９ａ−テトラメチル−ナフト［２，１−ｂ］フラン（入手元：スイス国ジュネーブ在、Firmenich SA社）、トリシクロ［５．２．１．０（２，６）］デセ−３−エン−８−イルアセテートおよびトリシクロ［５．２．１．０（２，６）］デセ−４−エン−８−イルアセテートならびにトリシクロ［５．２．１．０（２，６）］デセ−３−エン−８−イルプロパノエートおよびトリシクロ［５．２．１．０（２，６）］デセ−４−エン−８−イルプロパノエート、（＋）−（１Ｓ，２Ｓ，３Ｓ）−２，６，６−トリメチル−ビシクロ［３．１．１］ヘプタン−３−スピロ−２’−シクロヘキセン−４’−オン、
−  グループ５：カンファー、ボルネオール、イソボルニルアセテート、８−イソプロピル−６−メチル−ビシクロ［２．２．２］オクト−５−エン−２−カルボアルデヒド、カンフォピネン、セドランバー（８−メトキシ−２，６，６，８−テトラメチル−トリシクロ［５．３．１．０（１，５）］ウンデカン（入手元：スイス国ジュネーブ在、Firmenich SA社）、セドレン、セドレノール、セドロール、Florex(R)（９−エチリデン−３−オキサトリシクロ［６．２．１．０（２，７）］ウンデカン−４−オンと１０−エチリデン−３−オキサトリシクロ［６．２．１．０（２，７）］ウンデカン−４−オンとの混合物）（入手元：スイス国ジュネーブ在、Firmenich SA社）、３−メトキシ−７，７−ジメチル−１０−メチレン−ビシクロ［４．３．１］デカン（入手元：スイス国ジュネーブ在、Firmenich SA社）、
−  グループ６：Cedroxyde(R)（トリメチル−１３−オキサビシクロ−［１０．１．０］−トリデカ−４，８−ジエン（入手元：スイス国ジュネーブ在、Firmenich SA社）、Ambrettolide LG（（Ｅ）−９−ヘキサデセン−１６−オリド（入手元：スイス国ジュネーブ在、Firmenich SA社）、Habanolide(R)（ペンタデセノリド、入手元：スイス国ジュネーブ在、Firmenich SA社）、ムセノン（３−メチル−（４／５）−シクロペンタデセノン（入手元：スイス国ジュネーブ在、Firmenich SA社）、ムスコン（入手元：スイス国ジュネーブ在、Firmenich SA社）、Exaltolide(R)（ペンタデカノリド、入手元：スイス国ジュネーブ在、Firmenich SA社）、Exaltone(R)（シクロペンタデカノン、入手元：スイス国ジュネーブ在、Firmenich SA社）、（１−エトキシエトキシ）シクロドデカン（入手元：スイス国ジュネーブ在、Firmenich SA社）、アストロトン、４，８−シクロドデカジエン−１−オン、
−  グループ７：Lilial(R)（入手元：スイス国ヴェルニエ在、Givaudan SA社）、ロジノール。
【００４３】
香料は、好ましくは上記で定義したグループ１〜７から選択された成分を、少なくとも３０％、好ましくは少なくとも５０％、より好ましくは少なくとも６０％含有する。より好ましくは、前記香料は、上記で定義したグループ３〜７からの成分を少なくとも３０％、好ましくは少なくとも５０％含有する。最も好ましくは、香料は、上記で定義したグループ３、４、６または７からの成分を、少なくとも３０％、好ましくは少なくとも５０％含有する。
【００４４】
もう１つの好ましい実施態様によれば、香料は、３超、好ましくは３．５超、および一層好ましくは３．７５超のｌｏｇＰを有する成分を、少なくとも３０％、好ましくは少なくとも５０％、さらに好ましくは少なくとも６０％含有する。
【００４５】
好ましくは、本発明において使用される香料は、香料自体の質量の１０％未満の第一級アルコール、香料自体の質量の１５％未満の第二級アルコール、および香料自体の質量の２０％未満の第三級アルコールを含有する。有利には、本発明において使用される香料は、第一級アルコールを含有しておらず、かつ１５％未満の第二級アルコールおよび第三級アルコールを含有している。
【００４６】
１実施態様によれば、油相（またはオイルベースのコア）は、
−  ＬｏｇＴ＜−４を有する高インパクト香料原料を少なくとも１５質量％含有する香料オイル２５〜１００質量％と、
−  １．０７ｇ／ｃｍ３超の比重を有する比重調整用材料０〜７５質量％
とを含有する。
【００４７】
「高インパクト香料原料」は、ＬｏｇＴ＜−４を有する香料原料であると理解すべきである。化合物の匂いの閾値濃度は、部分的に、その形状、極性、部分電荷、および分子量によって決定される。便宜上、閾値濃度は、閾値濃度の一般的な対数、つまりＬｏｇ［閾値］（「ＬｏｇＴ」）として提示される。
【００４８】
「比重調整用材料」とは、１．０７ｇ／ｃｍ３超の比重を有し、好ましくは匂いをほとんど有していないか、もしくは全く有していない材料であると理解すべきである。
【００４９】
付香用化合物の匂い閾値濃度は、ガスクロマトグラフ（「ＧＣ］）を使用することによって決定される。特にガスクロマトグラフは、シリンジによって注入される香料オイル成分の正確な体積、正確な分割比、および公知の濃度と鎖長分布の炭化水素標準を使用する炭化水素応答を決定するために校正される。空気の流量を正確に測定し、かつヒトの吸気の継続時間は１２秒であると仮定して、試料として採取した体積を計算する。検出器の任意の時点における正確な濃度が公知であるから、吸入される体積あたりの質量は公知であり、従って付香用化合物の濃度も公知である。閾値濃度を決定するために、逆算した濃度におけるスニフポートに溶液を送達する。パネリストがＧＣ溶離液の匂いを嗅いで、匂いに気付いた時の保持時間を同定する。パネリスト全員の平均値により、付香用化合物の匂い閾値濃度を決定する。匂い閾値の決定は、C. Vuilleumier et al.等のMultidimensional Visualization of Physical and Perceptual Data Leading to a Creative Approach in Fragrance Development、Perfume & Flavorist、第３３巻、２００８年９月、第５４〜６１頁に、より詳細に記載されている。
【００５０】
ＬｏｇＴ＜−４を有する高インパクト香料原料および１．０７ｇ／ｃｍ３超の比重を有する比重調整用材料の性質は、国際公開第２０１８／１１５２５０号に記載されており、その内容をここで参照することにより取り入れるものとする。
【００５１】
１実施態様によれば、ＬｏｇＴ＜−４を有する高インパクト香料原料は、以下の表Ａのリストから選択される。
【００５２】
【表１−１】
2021528224.tif 000002
【表１−２】
2021528224.tif 000003
【表１−３】
2021528224.tif 000004
【表１−４】
2021528224.tif 000005
【００５３】
１実施態様によれば、ＬｏｇＴ＜−４を有する香料原料は、アルデヒド、ケトン、アルコール、フェノール、エステル、ラクトン、エーテル、エポキシド、ニトリル、およびこれらの混合物からなる群から選択される。
【００５４】
１実施態様によれば、ＬｏｇＴ＜−４を有する香料原料は、アルコール、フェノール、エステル、ラクトン、エーテル、エポキシド、ニトリル、およびこれらの混合物からなる群から選択される少なくとも１つの化合物を、ＬｏｇＴ＜−４を有する香料原料の全質量を基準に、好ましくは２０〜７０質量％に含まれる量で含有する。
【００５５】
１実施態様によれば、ＬｏｇＴ＜−４を有する香料原料は、アルデヒド、ケトン、およびこれらの混合物を、ＬｏｇＴ＜−４を有する香料原料の全質量を基準に、２０〜７０質量％含有する。
【００５６】
従って、オイルベースのコアに含まれている残りの香料原料は、ＬｏｇＴ＞−４を有する。
【００５７】
ＬｏｇＴ＞−４を有する香料原料の非限定的な例は、以下の表Ｂに列挙されている。
【００５８】
【表２−１】
2021528224.tif 000006
【表２−２】
2021528224.tif 000007
【表２−３】
2021528224.tif 000008
【００５９】
１実施態様によれば、油相（もしくはオイルベースのコア）は、１．０７ｇ／ｃｍ３超の比重を有する比重調整用材料を２〜７５質量％と、ＬｏｇＴ＜−４を有する高インパクト香料原料を少なくとも１５質量％含む香料オイルを２５〜９８質量％含有する。
【００６０】
成分の比重は、その質量と体積（ｇ／ｃｍ３）との間の比率により定義される。
【００６１】
成分の比重を決定するためには、複数の方法を利用することができる。
【００６２】
たとえば、精油のｄ２０比重を測定するためには、ＩＳＯ２９８：１９９８法を挙げることができる。
【００６３】
１実施態様によれば、比重調整用材料は、ベンジルサリチレート、ベンジルベンゾエート、シクロヘキシルサリチレート、ベンジルフェニルアセテート、フェニルエチルフェノキシアセテート、トリアセチン、メチルサリチレート、エチルサリチレート、ベンジルシンナメート、およびこれらの混合物からなる群から選択される。
【００６４】
特定の１実施態様によれば、比重調整用材料は、ベンジルサリチレート、ベンジルベンゾエート、シクロヘキシルサリチレート、およびこれらの混合物からなる群から選択される。
【００６５】
特定の１実施態様によれば、疎水性材料は、活性成分（たとえば香料）を含有していない。この特定の実施態様によれば、疎水性材料は、疎水性溶剤、好ましくは、イソプロピルミリステート、トリグリセリド（たとえばNeobee(R)MCTオイル、植物油）、Ｄ-リモネン、シリコーンオイル、鉱油およびこれらの混合物からなる群から選択される疎水性溶剤、任意で好ましくは１，４−ブタンジオール、ベンジルアルコール、トリエチルシトレート、トリアセチン、ベンジルアセテート、エチルアセテート、プロピレングリコール（１，２−プロパンジオール）、１，３−プロパンジオール、ジプロピレングリコール、グリセロール、グリコールエーテル、およびこれらの混合物からなる群から選択される親水性溶剤との混合物を含むか、好ましくは前記の材料からなる。
【００６６】
コア・シェル型マイクロカプセルスラリーを製造する方法
従って、本発明の第一の対象は、
（ｉ）疎水性材料、好ましくは香料オイルを含有するオイル中に、少なくとも２個のイソシアネート基を有する少なくとも１種のポリイソシアネートを溶解させて油相を形成するステップ、
（ｉｉ）帯電した乳化剤の水溶液を製造して水相を形成するステップ、
（ｉｉｉ）前記油相を前記水相に添加して水中油型エマルションを形成するステップ、
（ｉｖ）界面重合を誘発するために適切な条件を適用して、スラリーの形態のコア・シェル型マイクロカプセルを形成するステップ、
（ｖ）少なくとも１種の鉱物質前駆体を前記マイクロカプセルのシェル上に吸着させるステップ、
（ｖｉ）前記マイクロカプセルのシェル上での鉱物質層の成長を誘発するために適切な条件を適用するステップ
を含む、鉱質化されたコア・シェル型マイクロカプセルのスラリーを製造する方法であって、ステップ（ｉｖ）のスラリーの全質量を基準として１質量％未満の量でポリイソシアネートを添加することを特徴とする方法である。
【００６７】
前記方法のステップ（ｉ）では、少なくとも２個のイソシアネート基を有するポリイソシアネートを、上記のとおりの疎水性材料を含有するオイル中に溶解する。
【００６８】
本発明の好ましい１実施態様によれば、本発明の方法において１０〜６０％、さらに好ましくは２０〜５０％の量のオイルを使用する。前記パーセンテージは、ステップ（ｉｖ）で得られるマイクロカプセルスラリーの全質量を基準にして定義される。
【００６９】
本発明により使用される、適切なポリイソシアネートは、芳香族ポリイソシアネート、脂肪族ポリイソシアネートおよびこれらの混合物を含む。前記ポリイソシアネートは、少なくとも２個、好ましくは少なくとも３個のイソシアネート官能基を有しているが、しかし６個まで、もしくは４個のみのイソシアネート官能基を有していてもよい。特定の１実施態様によれば、トリイソシアネート（イソシアネート官能基が３個）を使用する。
【００７０】
１実施態様によれば、前記ポリイソシアネートは、芳香族ポリイソシアネートである。
【００７１】
「芳香族ポリイソシアネート」という用語は、ここでは、芳香族部分を有する任意のポリイソシアネートを含むものであることを意味する。好ましくは、前記ポリイソシアネートは、フェニル、トルイル、キシリル、ナフチルもしくはジフェニル部分を有しており、より好ましくはトルイルもしくはキシリル部分を有している。好ましい芳香族ポリイソシアネートは、ビウレット、ポリイソシアヌレート、およびジイソシアネートのトリメチロールプロパン付加物であり、より好ましくは、上記の特定の芳香族部分を有するものを含む。より好ましくは、芳香族ポリイソシアネートは、トルエンジイソシアネートのポリイソシアヌレート（Bayer社から、Desmodur(R)RCの商品名で市場において入手可能）、トルエンジイソシアネートのトリメチロールプロパン付加物（Bayer社から、Desmodur(R)L75の商品名で市場において入手可能）、キシリレンジイソシアネートのトリメチロールプロパン付加物（三井化学株式会社から、Takenate(R)D-110Nの商品名で市場において入手可能）である。最も好ましい１実施態様では、芳香族ポリイソシアネートは、キシリレンジイソシアネートのトリメチロールプロパン付加物である。
【００７２】
もう１つの実施態様によれば、前記ポリイソシアネートは、脂肪族ポリイソシアネートである。「脂肪族ポリイソシアネート」という用語は、芳香族部分を有していないポリイソシアネートとして定義される。好ましい脂肪族ポリイソシアネートは、ヘキサメチレンジイソシアネートの三量体、イソホロンジイソシアネートの三量体、ヘキサメチレンジイソシアネートのトリメチロールプロパン付加物（三井化学株式会社から入手可能）、またはヘキサメチレンジイソシアネートのビウレット（Bayer社から、Desmodur(R)N100の商品名で入手可能）であり、これらの中でもヘキサメチレンジイソシアネートのビウレットがさらにより好ましい。
【００７３】
もう１つの実施態様によれば、前記少なくとも１つのポリイソシアネートは、いずれも少なくとも２個もしくは３個のイソシアネート官能基を有する、少なくとも１種の脂肪族ポリイソシアネートと、少なくとも１種の芳香族ポリイソシアネートとの混合物の形であり、たとえばヘキサメチレンジイソシアネートのビウレットと、キシリレンジイソシアネートのトリメチロールプロパン付加物との混合物、ヘキサメチレンジイソシアネートのビウレットと、トルエンジイソシアネートのポリイソシアヌレートとの混合物、およびヘキサメチレンジイソシアネートのビウレットと、トルエンジイソシアネートのトリメチロールプロパン付加物との混合物である。最も好ましいのは、ヘキサメチレンジイソシアネートのビウレットと、キシリレンジイソシアネートのトリメチロールプロパン付加物との混合物である。好ましくは、混合物として使用される場合、脂肪族ポリイソシアネートと芳香族ポリイソシアネートとの間のモル比は、８０：２０〜１０：９０の範囲である。
【００７４】
本発明によれば、本発明による方法で使用される少なくとも１種のポリイソシアネートは、ステップ（ｉｖ）のマイクロカプセルスラリーの全質量を基準として、１質量％未満、好ましくは０．１〜１質量％未満の間、さらに好ましくは０．１〜０．８質量％の間、より好ましくは０．３〜０．８質量％の間である。
【００７５】
実際に、限定された量のポリイソシアネートから製造されたマイクロカプセルが付着に関して良好な性能を示すことが判明している。
【００７６】
本発明によれば、ポリマーシェルは帯電した乳化剤の存在下での界面重合により形成される。
【００７７】
帯電した乳化剤は好ましくは、マイクロカプセルスラリーの０．１〜５．０質量％、好ましくはマイクロカプセルスラリーの０．５〜２質量％の量で含まれている。
【００７８】
本発明によれば、ポリマーシェルは終端の帯電した官能性表面を有しており、その上に鉱物質前駆体が吸着される。ポリマーシェル上に帯電表面を付与するための異なった方法を使用することができる。
【００７９】
特定の１実施態様によれば、終端の帯電官能性表面は、アニオン性表面である。
【００８０】
乳化剤：アニオン性乳化剤
第一の実施態様によれば、帯電した乳化剤はアニオン性乳化剤であり、ひとたび界面重合が完了するとアニオン性表面を形成する。
【００８１】
前記アニオン性乳化剤は、両親媒性材料、コロイド安定剤またはバイオポリマーであってもよい。１実施態様によれば、アニオン性乳化剤は、ポリビニルアルコール、ポリビニルピロリドン、アラビアゴム、カゼイン、カゼイン酸ナトリウム、ダイズ（タンパク質）、ダイズタンパク質加水分解物、ピープロテイン、ミルクプロテイン、ホエイプロテイン、ペクチン、テンサイペクチン、セリシン、ウシ血清アルブミン、ゼラチン、およびこれらの混合物からなる群から選択される。
【００８２】
１実施態様によれば、アラビアゴムが好ましい。
【００８３】
特定の１実施態様によれば、（アニオン性乳化剤により形成される）アニオン性表面は、ステップ（ｖ）で鉱物質前駆体が吸着されるアニオン性表面である。
【００８４】
しかし、アニオン性表面上での鉱物質前駆体の結合を改善するために、この方法はさらにステップ（ｖ）（バイオミネラリゼーションステップ）の前に、マイクロカプセルが形成された後、反対の電荷を備えた高分子電解質層からなる高分子電解質の足場を添加することからなる付加的なステップを含んでいてもよい。
【００８５】
従って、特定の１実施態様によれば高分子電解質の足場は、少なくとも１つのカチオン性高分子電解質層と、少なくとも１つのアニオン性高分子電解質層とを含み、その際、終端層はシェルの終端アニオン性官能性表面を形成するためのアニオン性高分子電解質層である。
【００８６】
この実施態様によれば、高分子電解質層の足場の第一の層は、（アニオン性乳化剤により形成された）アニオン性表面上に堆積したカチオン性高分子層であり、高分子電解質の足場の最後の層は、ステップ（ｖ）で鉱物質前駆体が吸着される終端アニオン性官能性表面を形成するためのアニオン性高分子電解質層である。
【００８７】
高分子電解質足場層の数は特に限定されていない。
【００８８】
特定の１実施態様によれば、高分子電解質の足場は、反対の電荷を備えた２組の高分子電解質層からなる。
【００８９】
これは、この実施態様によれば、ステップ（ｖ）の前に、本発明によるマイクロカプセルがポリマーシェル上に次の連続的な層を有していることを意味している：（アニオン性乳化剤により形成された）アニオン性表面上の第一のカチオン性高分子電解質層、第一の負の高分子電解質層、第二のカチオン性高分子電解質相、第二の負の高分子電解質層（終端のアニオン性官能性表面を形成する）。
【００９０】
バリア特性を付与するために付加的な層を使用することもでき、これはさらに架橋していてもよい。
【００９１】
乳化剤：カチオン性乳化剤
第二の実施態様によれば、帯電した乳化剤は、界面重合が完了した時にカチオン性表面を形成するカチオン性乳化剤である。この実施態様によれば、この方法は、カチオン性表面上に少なくとも１つのアニオン性高分子電解質層を被覆して、アニオン性官能性表面を有するコア・シェル型マイクロカプセルを形成するさらなるステップを含んでいる。
【００９２】
１実施態様によれば、カチオン性乳化剤は、弱アニオン性乳化剤（たとえばＰＶＯＨ）と強く帯電したカチオン性ポリマーまたはポリクアテルニウム（たとえばＢＡＳＦのＳａｌｃａｒｅ（Ｒ）ＳＣ−６０）とを混合することにより得られる。
【００９３】
カチオン性乳化剤の非限定的な例として、たとえばカチオン性官能化ポリビニルアルコール（１例として、Ｋｕｒａｒａｙのカチオン性Ｃ−５０６）または適切なｐＨ（一般に弱酸性のｐＨ、つまりｐＨ約６．５）のキトサンを挙げることができる。
【００９４】
特定の１実施態様によれば、（アニオン性高分子電解質層により形成される）アニオン性表面は、ステップ（ｖ）で鉱物質前駆体が吸着される終端アニオン性官能性表面である。
【００９５】
別の実施態様によれば、少なくとも１つのカチオン性高分子電解質層および少なくとも１つの第二のアニオン性高分子電解質層は、アニオン性高分子電解質層上に連続的に堆積される。
【００９６】
しかしこの実施態様は、反対の電荷を有する１組の高分子電解質層のみに限定されるわけでなく、反対の電荷を有する２組、３組、４組、またはそれ以上のものも含んでいる。最後の層の電荷が、ステップ（ｖ）で添加される鉱物質前駆体の電荷を決定する。
【００９７】
１実施態様によれば、カチオン性高分子電解質層は、ポリ（アリルアミンヒドロクロリド）、ポリ−Ｌ−リシンおよびキトサンからなる群から選択される。
【００９８】
もう１つの実施態様によれば、アニオン性高分子電解質層は、ポリ（ナトリウム４スチレンスルホネート）（ＰＳＳ）、ポリアクリル酸、ポリエチレンイミン、フミン酸、カラギーナン、アラビアゴム、およびこれらの混合物からなる群から選択される。
【００９９】
特定の１実施態様によれば、アニオン性高分子電解質層はＰＳＳである。
【０１００】
界面重合を誘発するために特別な作用は要求されない。好ましくは、ステップ（ｉｉｉ）で得られるエマルションを２〜１５時間、好ましくは２〜１０時間、撹拌下に維持する。
【０１０１】
反応動態を増大させるためには、７〜１０に含まれるｐＨおよび／または５０℃〜７０℃に含まれる温度で撹拌を実施することができる。
【０１０２】
１実施態様によれば、本発明のマイクロカプセルは、ポリ尿素ベースのカプセルである。この特定の実施態様によれば、分散相にポリアミン反応体を添加することにより界面重合を誘発して油相中に存在するポリイソシアネートと共にポリ尿素壁を形成する。前記アミンは好ましくは、グアニジン塩、トリス−（２−アミノエチル）アミン、Ｎ，Ｎ，Ｎ′，Ｎ′−テトラキス（３−アミノプロピル）−１，４−ブタンジアミン、グアナゾール、アミノ酸、たとえばリシン、アミノアルコール、たとえば２−アミノ−１，３−プロパンジオール、エタノールアミン、およびこれらの混合物からなる群から選択される。
【０１０３】
もう１つの実施態様によれば、ポリ尿素ベースのカプセルは、添加されるポリアミン反応体の不存在下で形成され、少なくとも１種のポリイソシアネートの自家重合のみによって生じる。
【０１０４】
もう１つの実施態様によれば、本発明によるマイクロカプセルは、ポリウレタンベースのカプセルである。この特定の実施態様によれば、水相中のポリオールの存在により界面重合が誘発される。
【０１０５】
ポリオール反応体は好ましくは、反応に利用可能なヒドロキシ基を複数有するモノマーおよびポリマーのポリオールおよびこれらの混合物からなる群から選択される。
【０１０６】
もう１つの実施態様によれば、本発明によるカプセルは、ポリ尿素／ポリウレタンベースである。その場合、界面重合は、前記の両方の実施態様で言及した反応体の混合物を添加することにより誘発される。さらに、アミノ基およびヒドロキシ基の両方を有する架橋剤を使用して、ポリ尿素／ポリウレタン材料を生成することができる。さらに、ウレア官能基およびウレタン官能基の両方を有するポリイソシアネートを使用して、ポリ尿素／ポリウレタン材料を生成することができる。
【０１０７】
ステップ（ｖ）の前に、鉱物質前駆体の性質に依存して、マイクロカプセルを洗浄することで、過剰の乳化剤を除去することができる。マイクロカプセルは、たとえば遠心分離を行い、上澄みを除去した後に水中に再懸濁させることで洗浄することができる。
【０１０８】
理論によって束縛されるものではないが、シェルの帯電表面は、機能的なアンカー部位を提供し、マイクロカプセル表面の帯電基の高い局所密度および成核部位によって、鉱物質前駆体種の改善された吸着が生じ、次いで沈殿種のインサイチュー添加によって鉱物質の成長プロセスが開始されると考えられている。
【０１０９】
１実施態様によれば鉱物質前駆体は、帯電したカプセルを、カプセルとは反対の電荷で帯電した鉱物質前駆体を含有する少なくとも１つの溶液中でインキュベーションし、カプセル表面の完全な被覆を可能にするために十分な撹拌および時間を提供することで、マイクロカプセルの表面に吸着される。溶液中で遊離の鉱物質材料が発生することを防止するために、溶液から過剰の前駆体を除去することができ、次いで沈殿種のインサイチュー添加によって鉱物質の成長プロセスが開始される。
【０１１０】
当業者であれば、鉱物質の成長プロセスのために適切な条件を選択することができるであろう（たとえば前駆体の選択、反応条件、溶液の濃度、インキュベーション時間、撹拌速度、温度およびｐＨ条件）。
【０１１１】
一般に：
−  鉱質化は室温で生じることができ、
−  前駆体のインキュベーションは、鉱物質前駆体の性質に応じて、１〜７２時間の間であり、
−  沈殿種の性質は前駆体の性質に依存する。
【０１１２】
特定の１実施態様によれば、鉱物質前駆体溶液は、硫酸鉄（ＩＩ）溶液（鉄イオンを前駆体として含有）、塩化鉄（ＩＩＩ）溶液（鉄イオンを前駆体として含有）、カルシウムベースの塩溶液（カルシウムイオンを前駆体として含有）、リン酸塩ベースの塩溶液（リン酸イオンを前駆体として含有）、炭酸塩ベースの塩溶液（炭酸イオンを前駆体として含有）、チタンベースの前駆体溶液、亜鉛ベースの前駆体溶液、およびこれらの混合物からなる群から選択される。
【０１１３】
たとえばチタンベースの前駆体として、チタンアルコキシド、または亜鉛ベースの前駆体溶液として、亜鉛アルコキシド、酢酸亜鉛、塩化亜鉛を挙げることができる。
【０１１４】
特定の１実施態様によれば、鉱物質前駆体溶液は、硫酸鉄（ＩＩ）溶液（鉄イオンを前駆体として含有）、塩化鉄（ＩＩＩ）溶液（鉄イオンを前駆体として含有）、カルシウムベースの塩溶液（カルシウムイオンを前駆体として含有）、リン酸塩ベースの塩溶液（リン酸イオンを前駆体として含有）、およびこれらの混合物からなる群から選択される。
【０１１５】
水溶性のカルシウムベースの塩は、塩化カルシウム（ＣａＣｌ２）、硝酸カルシウム（Ｃａ（ＮＯ３）２）、臭化カルシウム（ＣａＢｒ２）、ヨウ化カルシウム（ＣａＩ２）、クロム酸カルシウム（ＣａＣｒＯ４）、酢酸カルシウム（ＣａＣＨ３ＣＯ２）、およびこれらの混合物からなる群から選択することができる。最も好ましいものは、塩化カルシウムおよび硝酸カルシウムである。
【０１１６】
水溶性のリン酸塩ベースの塩は、リン酸ナトリウム（一塩基性）（ＮａＨ２ＰＯ４）、リン酸ナトリウム（二塩基性）（Ｎａ２ＨＰＯ４）、リン酸ナトリウム（三塩基性）：Ｎａ３ＰＯ４、リン酸カリウム（一塩基性）：ＫＨ２ＰＯ４、リン酸カリウム（二塩基性）（Ｋ２ＨＰＯ４）、リン酸カリウム（三塩基性）（Ｋ３ＰＯ４）、リン酸アンモニウム（一塩基性）（（ＮＨ４）Ｈ２ＰＯ４）、リン酸アンモニウム（二塩基性）（（ＮＨ４）２ＨＰＯ４）、リン酸アンモニウム（三塩基性）（（ＮＨ４）３ＰＯ４）、およびこれらの混合物からなる群から選択することができる。
【０１１７】
水溶性炭酸塩ベースの塩は、ナトリウム、カリウム、およびアンモニウムベースの炭酸塩からなる群から選択することができる。
【０１１８】
この方法のステップ（ｖ）で使用される鉱物質前駆体の電荷は、マイクロカプセルの終端表面の電荷により決定されることを理解すべきである。
【０１１９】
実施態様１
１実施態様によれば、鉱物質前駆体溶液は、硫酸鉄（ＩＩ）溶液または塩化鉄（ＩＩＩ）溶液からなる群から選択される。
【０１２０】
前記のとおり、鉱物質の成長プロセスの開始は、沈殿種をインサイチューで添加することにより行うことができる。この実施態様によれば、鉱物質前駆体が鉄溶液である場合、鉄イオンはシェルのアニオン性表面に吸着され、かつ使用される沈殿種は、酸化鉄層を形成するための加水分解のベースである（たとえば水酸化ナトリウム溶液の添加による）。
【０１２１】
溶液中の鉱物質前駆体と、ステップ（ｉｖ）のマイクロカプセルスラリーとの間の質量比は、１：１〜２：１、好ましくは１．３：１〜１．７：１、および最も好ましくは１．５：１〜１．６：１に含まれうる。値は、溶液中の純粋な塩に関するものであり、当業者であれば、水和形が使用される場合には塩の量を調整することができるであろう。
【０１２２】
実施態様２
もう１つの実施態様によれば、鉱物質前駆体溶液は、カルシウムベースの塩（前駆体としてカルシウムイオンを含む）である。この実施態様によれば、カルシウムイオンは、アニオン性表面上に吸着される。この場合、鉱物質の堆積を誘発する沈殿種は、別の塩の添加、好ましくはリン酸ベースの塩の添加（たとえば１時間）である。
【０１２３】
従って、この特定の実施態様によれば、マイクロカプセルは、引き続き、または同時に、それぞれ少なくとも１つの前駆体を含有する少なくとも２つの溶液に導入する。好ましくは、第一の溶液は、カルシウム前駆体を含有する水溶性のカルシウムベースの塩を含み（ステップ（ｖ）の第一の鉱物質前駆体）、かつ第二の溶液は、リン酸塩前駆体を含有する水溶性のリン酸塩ベースの塩を含む（鉱物質層の鉱物質成長を誘発するための第二の鉱物質前駆体）。添加の順序は、下側の終端層の選択または電荷に応じて変更することができる。
【０１２４】
特定の１実施態様によれば、第一の溶液は、硝酸カルシウム（Ｃａ（ＮＯ３）２）を含み、かつ第二の溶液は、リン酸ナトリウム（二塩基性）（Ｎａ２ＨＰＯ４）を含む。
【０１２５】
もう１つの特定の実施態様によれば、第一の溶液は、塩化カルシウム（ＣａＣｌ２）を含み、かつ第二の溶液は、炭酸ナトリウム（Ｎａ２ＣＯ３）を含む。
【０１２６】
シェルの耐性を改善するために、次いでマイクロカプセルを再び数回、同時に、または連続的に２種類の鉱物質前駆体溶液中でインキュベーションすることができる。
【０１２７】
実施態様３
もう１つの実施態様によれば、マイクロカプセルの終端表面がカチオン性である場合、マイクロカプセルはまず、炭酸塩ベースの塩溶液中で、またはリン酸塩ベースの溶液中でインキュベーションして、炭酸イオンＣＯ３２−またはリン酸イオンＰＯ４３−をそれぞれ、カチオン性表面に吸着させ、次いで、カルシウムベースの鉱物質溶液中でインキュベーションする。
【０１２８】
シェルの耐性を改善するために、次いでマイクロカプセルを再び数回、同時に、または連続的に２種類の鉱物質前駆体溶液中でインキュベーションすることができる。
【０１２９】
上記の異なった実施態様によれば、溶液中の第一の鉱物質前駆体塩と、ステップ（ｉｖ）のマイクロカプセルスラリーとの間の質量比は、０．０１：１〜０．５：１、より好ましくは０．０３：１〜０．４：１に含まれ、かつ第二の鉱物質前駆体溶液とステップ（ｉｖ）のマイクロカプセルスラリーとの間の質量比は、０．０１：１〜０．５：１、好ましくは０．０３：１〜０．４：１に含まれることができる。
【０１３０】
特定の１実施態様によれば、溶液中の第一の鉱物質前駆体塩と、ステップ（ｉｖ）のマイクロカプセルスラリーとの間の質量比は、０．１：１〜０．５：１、好ましくは０．１５：１〜０．４：１に含まれ、かつ第二の鉱物質前駆体溶液とステップ（ｉｖ）のマイクロカプセルスラリーとの間の質量比は、０．０５：１〜０．３：１、好ましくは０．０８：１〜０．２５：１に含まれることができる。値は、溶液中の純粋な塩に関するものであり、当業者であれば、水和形を使用する場合には、塩の量を調整することができるであろう。
【０１３１】
上記の異なった実施態様によれば、ひとたび鉱物質層が形成されたら、第一の鉱物質層とは異なった、少なくとも１つの第二の鉱物質層を形成するために、その他の鉱物質前駆体を用いたバイオミネラリゼーションステップを繰り返すことができる。複数の鉱物質層の間に複数の高分子電解質層が形成されてもよい。
【０１３２】
本発明の特定の１実施態様によれば、ステップ（ｖｉ）の終了時に、本発明によるスラリーに、多糖類、バイオポリマー、カチオン性ポリマーおよびこれらの混合物からなる群から選択されるポリマーを添加して、マイクロカプセルの外側コーティングを形成することもできる。
【０１３３】
多糖類ポリマーは当業者に周知である。好ましい多糖類は、イナゴマメゴム、キシログルカン、グアーゴム、ヒドロキシプロピルグアー、ヒドロキシプロピルセルロース、およびヒドロキシプロピルメチルセルロースからなる群から選択される。
【０１３４】
特定の１実施態様によれば、コーティングは、カチオン性コーティングからなる。
【０１３５】
カチオン性ポリマーもまた、当業者には周知である。好ましいカチオン性ポリマーは、少なくとも０．５ｍｅｑ／ｇ、より好ましくは少なくとも約１．５ｍｅｑ／ｇ、しかしまた好ましくは約７ｍｅｑ／ｇ未満、より好ましくは約６．２ｍｅｑ／ｇ未満のカチオン電荷密度を有する。カチオン性ポリマーのカチオン電荷密度は、ＵＳ  Ｐｈａｒｍａｃｏｐｏｅｉａの窒素決定に関する化学的試験に記載されているケルダール(Kjeldahl)法によって決定することができる。好ましいカチオン性ポリマーは、第一級、第二級、第三級および／または第四級アミノ基を有する単位を含むものから選択され、前記ポリマーは、ポリマー主鎖の一部を形成するものであっても、主鎖に直接結合している側鎖置換基の一部であってもよい。カチオン性ポリマーの質量平均分子量（Ｍｗ）は、好ましくは１０，０００〜３，５００，０００ダルトン、より好ましくは５０，０００〜２，０００，０００ダルトンである。
【０１３６】
特定の１実施態様によれば、アクリルアミド系、メタクリルアミド系、Ｎ−ビニルピロリドン系、四級化Ｎ，Ｎ−ジメチルアミノメタクリレート系、ジアリルジメチルアンモニウムクロリド系、四級化ビニルイミダゾール（３−メチル−１−ビニル−１Ｈ−イミダゾール−３−イウムクロリド）系、ビニルピロリドン系、アクリルアミドプロピルトリモニウムクロリド系、カッシアヒドロキシプロピルトリモニウムクロリド系、グアーヒドロキシプロピルトリモニウムクロリド系もしくはポリガラクトマンナン２−ヒドロキシプロピルトリメチルアンモニウムクロリドエーテル系、デンプンヒドロキシプロピルトリモニウムクロリド系およびセルロースヒドロキシプロピルトリモニウムクロリド系のカチオン性ポリマーを使用する。好ましいコポリマーは、ポリクアテルニウム−５、ポリクアテルニウム−６、ポリクアテルニウム−７、ポリクアテルニウム−１０、ポリクアテルニウム−１１、ポリクアテルニウム−１６、ポリクアテルニウム−２２、ポリクアテルニウム−２８、ポリクアテルニウム−４３、ポリクアテルニウム−４４、ポリクアテルニウム−４６、カッシアヒドロキシプロピルトリモニウムクロリド、グアーヒドロキシプロピルトリモニウムクロリドもしくはポリガラクトマンナン２−ヒドロキシプロピルトリメチルアンモニウムクロリドエーテル、デンプンヒドロキシプロピルトリモニウムクロリドおよびセルロースヒドロキシプロピルトリモニウムクロリドからなる群から選択すべきである。
【０１３７】
市販の製品の具体例として、Salcare(R)SC60（アクリルアミドプロピルトリモニウムクロリドとアクリルアミドとのカチオン性コポリマー、入手元：BASF社）またはLuviquat(R)、たとえばPQ 11N、FC 550またはStyle（ポリクアテルニウム−１１〜６８、またはビニルピロリドンの四級化コポリマー、入手元：BASF社）あるいはまたJaguar(R)（C13SまたはC17、入手元：Rhodia社）を挙げることができる。
【０１３８】
鉱質化されたマイクロカプセル表面の電荷および溶液の状態（ｐＨを含む）に依存して、アニオン性高分子電解質をまず表面に吸着させ、次いでカチオン性ポリマーを吸着させることができる。あるいはカチオン性ポリマーを吸着させ、次いでアニオン性コーティングを吸着させてもよい。
【０１３９】
鉱質化させたシェルの後官能化は、バリア機能を向上するため、さらなる酵素架橋のための基礎とするため、さらなる鉱質化のための基礎とするため、または異なった機能化表面を提供して適用ベースとの親和性もしくは適用ベースからの性能（たとえば付着性能）を促すために行うことができる。
【０１４０】
本発明の上記の実施態様の１つによれば、上記のポリマーを、約０％〜５％ｗ／ｗ、または約０．１％〜２％ｗ／ｗの量で添加することができ、この場合のｗ／ｗベースで記載されるパーセンテージは、ステップ（ｖｉ）の後で得られるスラリーの全質量に対するものである。当業者であれば、前記のとおりに添加されるポリマーの一部のみが、マイクロカプセルに組み込まれるおよび／または堆積することは明確に理解できるであろう。
【０１４１】
複合的なマイクロカプセルシステム
１実施態様によれば、本発明のマイクロカプセル（第一のマイクロカプセルスラリー）は、第二のマイクロカプセルスラリーと組み合わせて使用することができる。
【０１４２】
本発明のもう１つの対象は、
−  第一のマイクロカプセルスラリーとしての本発明によるマイクロカプセルスラリー、および
−  第二のマイクロカプセルスラリー
を含有し、第一のマイクロカプセルスラリーに含まれているマイクロカプセルと、第二のマイクロカプセルスラリーに含まれているマイクロカプセルとは、その疎水性材料および／または壁材料および／または鉱物質層および／またはコーティング材料が異なっている、マイクロカプセルデリバリーシステムである。
【０１４３】
非限定的な例として、本発明の第二のマイクロカプセルスラリーのポリマーシェルの性質は、異なっていてもよい。非限定的な例として、第二のマイクロカプセルスラリーのシェルは、アミノプラストベース、ポリ尿素ベースまたはポリウレタンベースであってよい。第二のマイクロカプセルスラリーのシェルは、ハイブリッド、つまり有機−無機のシェル、たとえば架橋した少なくとも２種類の無機粒子から構成されるハイブリッドシェルであるか、またはポリアルコキシシランマクロモノマー組成物の加水分解および縮合反応から得られたシェルであってもよい。
【０１４４】
１実施態様によれば、第二のマイクロカプセルスラリーのシェルは、アミノプラストコポリマー、たとえばメラミン−ホルムアルデヒドまたは尿素−ホルムアルデヒドまたは架橋したメラミンホルムアルデヒドもしくはメラミングリオキサールを含む。
【０１４５】
もう１つの実施態様によれば、第二のマイクロカプセルスラリーのシェルは、たとえばイソシアネート系モノマーおよびアミン含有架橋剤、たとえばグアニジンカーボネートおよび／またはグアナゾールから得られるポリ尿素系であってもよいが、これらに限定されるものではない。好ましいポリ尿素マイクロカプセルは、少なくとも２個のイソシアネート官能基を有する少なくとも１種類のポリイソシアネートと、アミン（たとえば水溶性グアニジン塩およびグアニジン）からなる群から選択される少なくとも１種類の反応体との重合の反応生成物であるポリ尿素壁、コロイド安定剤または乳化剤、およびカプセル封入された香料を含む。しかし、アミンの使用は省略することができる。
【０１４６】
特定の１実施態様によれば、コロイド安定剤は、ポリビニルアルコール０．１％〜０．４％、ビニルピロリドンの、および四級化ビニルイミダゾールのカチオン性コポリマー０．６％〜１％の水溶液を含有する（全てのパーセンテージは、コロイド安定剤の全質量に対する質量によって定義される）。もう１つの実施態様によれば、乳化剤は、好ましくはアラビアゴム、ダイズタンパク質、ゼラチン、カゼイン酸ナトリウムおよびこれらの混合物からなる群から選択されるアニオン性もしくは両親媒性バイオポリマーである。
【０１４７】
もう１つの実施態様によれば、第二のマイクロカプセルスラリーのシェルは、たとえばポリイソシアネートおよびポリオール、ポリアミド、ポリエステル等から構成されるポリウレタン系であるが、これらに限定されるものではない。
【０１４８】
コア・シェル型マイクロカプセルの水性分散液／スラリーの製造は当業者に周知である。１つの態様では、前記マイクロカプセル壁材料は、任意の適切な樹脂を含んでいてもよく、特にメラミン、グリオキサール、ポリ尿素、ポリウレタン、ポリアミド、ポリエステル等を含んでいる。適切な樹脂は、アルデヒドとアミンとの反応生成物を含有し、適切なアルデヒドは、ホルムアルデヒドおよびグリオキサールを含む。適切なアミンは、メラミン、尿素、ベンゾグアナミン、グリコールウリル、およびこれらの混合物を含む。適切なメラミンは、メチロールメラミン、メチル化メチロールメラミン、イミノメラミン、およびこれらの混合物を含む。適切な尿素は、ジメチロール尿素、メチル化ジメチロール尿素、尿素−レゾルシノール、およびこれらの混合物を含む。製造のために適切な材料は、以下の企業の１社以上から入手することができる：Solutia Inc. (St Louis, Missouri U.S.A.), Cytec Industries (West Paterson, New Jersey U.S.A.), Sigma-Aldrich (St. Louis, Missouri U.S.A.)。
【０１４９】
特定の１実施態様によれば、第二のコア・シェル型マイクロカプセルは、ホルムアルデヒド不含のカプセルである。アミノプラストホルムアルデヒド不含のマイクロカプセルスラリーを製造するための一般的な方法は、以下のステップを含む：
１）オリゴマー組成物を製造するステップであって、前記オリゴマー組成物は、
ａ）メラミン、またはメラミンと、２個のＮＨ２官能基を有する少なくとも１つのＣ１〜Ｃ４化合物との混合物の形のポリアミン成分と、
ｂ）グリオキサール、Ｃ４〜Ｃ６の２，２−ジアルコキシ−エタナール、および任意でグリオキサレートの混合物の形のアルデヒド成分であって、前記混合物は、１／１〜１０／１に含まれる、グリオキサール／Ｃ４〜Ｃ６の２，２−ジアルコキシ−エタナールのモル比を有するもの、および
ｃ）プロトン酸触媒
の反応生成物であるか、または上記成分を反応させることにより得られるものを含有し、
２）液滴サイズが、１〜６００μｍに含まれる水中油型分散液を製造するステップであって、前記分散液は、
ｉ．オイル、
ｉｉ．水性媒体、
ｉｉｉ．ステップ１）で得られた、少なくとも１つのオリゴマー組成物、
ｉｖ．以下から選択される少なくとも１つの架橋剤：
Ａ）Ｃ４〜Ｃ１２芳香族もしくは脂肪族のジイソシアネートもしくはトリイソシアネート、およびそのビウレット、トリウレット、三量体、トリメチロールプロパン付加物、およびその混合物、および／または
Ｂ）式
Ａ−（オキシラン−２−イルメチル）ｎ
（式中、ｎは、２または３を表し、かつＡは、任意で２〜６個の窒素原子および／または酸素原子を有するＣ２〜Ｃ６基を表す）のジオキシランまたはトリオキシラン化合物、
ｖ．任意で２個のＮＨ２官能基を有するＣ１〜Ｃ４化合物
を含有しており、
３）前記分散液を加熱するステップ、
４）前記分散液を冷却するステップ。
【０１５０】
この方法は、国際公開第２０１３／０６８２５５号に、より詳細に記載されており、その内容をここで引用することにより本願に取り入れる。
【０１５１】
もう１つの実施態様によれば、第二のマイクロカプセルスラリーのシェルは、ポリ尿素系またはポリウレタン系である。ポリ尿素系マイクロカプセルおよびポリウレタン系マイクロカプセルを製造するための方法の例は、たとえば国際公開第２００７／００４１６６号、欧州特許出願公開第２３００１４６号明細書、欧州特許出願公開第２５７９９７６号明細書に記載されており、これらの内容もここで引用することにより本願に取り入れる。一般に、ポリ尿素系マイクロカプセルおよびポリウレタン系マイクロカプセルの製造方法は、以下のステップを含む：
ａ）少なくとも２個のイソシアネート基を有する少なくとも１種類のポリイソシアネートを油中に溶解させて、油相を形成するステップ、
ｂ）乳化剤またはコロイド安定剤の水溶液を製造して、水相を形成するステップ、
ｃ）油相を水相に添加して、平均液滴サイズが１〜５００μｍ、好ましくは５〜５０μｍに含まれる水中油型分散液を形成するステップ、
ｄ）界面重合を誘発するために十分な条件を適用し、かつスラリーの形のマイクロカプセルを形成するステップ。
【０１５２】
鉱質化マイクロカプセル粉末を製造する方法
本発明のもう１つの対象は、マイクロカプセルスラリーを製造するための上記のとおりのステップと、マイクロカプセルスラリーを乾燥、たとえば凍結乾燥または噴霧乾燥に供して、マイクロカプセル自体、つまり粉末の形態のマイクロカプセルを製造する追加の最終ステップを有する鉱質化マイクロカプセル粉末の製造方法である。そのような乾燥を行うためには、当業者に公知の任意の標準的な方法を適用することができると理解される。特にスラリーは、好ましくはポリマー担持材料、たとえばポリビニルアセテート、ポリビニルアルコール、デキストリン、マルトデキストリン、天然デンプンもしくは変性デンプン、糖類、アラビアゴム、植物性ゴム、たとえばアラビアゴム、ペクチン、キサンタン、アルギン酸塩、カラギーナンまたはセルロース誘導体の存在下で噴霧乾燥することで、粉末形のマイクロカプセルが得られる。好ましくは、前記担持材料は、アラビアゴムである。特定の１実施態様によれば、前記担持材料は、マイクロカプセルのコアからの香料と同じか、または異なった、封入されていない香料オイルを含んでいる。
【０１５３】
マイクロカプセルスラリー／マイクロカプセル粉末
本発明のもう１つの対象は、
−  オイルベースのコア、
−  ポリ尿素シェルまたはポリウレタンシェル、および
−  鉱物質層
から構成される、少なくとも１つのマイクロカプセルを含有する鉱質化コア・シェル型マイクロカプセルのスラリーである。
【０１５４】
１実施態様によれば、ポリ尿素シェルまたはポリウレタンシェルは、少なくとも２個のイソシアネート基を有するポリイソシアネートを、スラリーの全質量を基準として１質量％未満含有している。
【０１５５】
１実施態様によれば、鉱物質層は、酸化鉄、オキシ水酸化鉄、酸化チタン、酸化亜鉛、炭酸カルシウム、リン酸カルシウム、およびこれらの混合物からなる群から選択される材料を含む。鉱物質層は、好ましくは酸化鉄、オキシ水酸化鉄、またはリン酸カルシウムもしくは炭酸カルシウムである。全ての結晶質鉱物、非晶質鉱物および鉱物多形体（たとえばリン酸カルシウムに関してヒドロキシアパタイト、および炭酸カルシウムに関して方解石、バテライト、およびアラゴナイト）が含まれる。
【０１５６】
特定の１実施態様によれば、鉱物質層は、オキシ水酸化鉄の針鉄鉱（α−ＦｅＯ（ＯＨ））である。
【０１５７】
別の１実施態様によれば、鉱物質層は、リン酸カルシウムである。
【０１５８】
別の１実施態様によれば、鉱物質層は、炭酸カルシウムである。
【０１５９】
別の１実施態様によれば、リン酸カルシウムおよび炭酸カルシウムを含有する複数の鉱物質層がマイクロカプセル上に存在する。
【０１６０】
特定の１実施態様によれば、鉱物質層は酸化ケイ素を含有していない。
【０１６１】
もう１つの実施態様によれば、マイクロカプセルは、高分子電解質、バイオポリマー、またはカチオン性コーティングを、鉱物質層上、次いで任意で第二の鉱物質層上に含んでいてもよい。
【０１６２】
本発明のもう１つの対象は、上記のとおりの方法により得られる、鉱質化されたコア・シェル型マイクロカプセルのスラリーである。
【０１６３】
付香用組成物
本発明のもう１つの対象は、
（ｉ）上記のとおりのマイクロカプセルであって、オイルベースのコアが香料を含有するマイクロカプセル、
（ｉｉ）香料担体および付香用補助成分からなる群から選択される少なくとも１種の成分、および
（ｉｉｉ）任意で香料助剤
を含有する付香用組成物である。
【０１６４】
液状の香料担体として、非限定的な例として、乳化系、つまり溶剤と界面活性剤の系、または香料において一般的に使用される溶剤を挙げることができる。香料において一般的に使用される溶剤の性質および種類の詳細な記載は網羅的なものにはなり得ない。しかし非限定的な例として、たとえばジプロピレングリコール、ジエチルフタレート、イソプロピルミリステート、ベンジルベンゾエート、２−（２−エトキシエトキシ）−１−エタノールまたはエチルシトレートを挙げることができ、これらは最も一般的に使用されている。香料担体と香料補助成分との両方を含有する組成物に関して、前記のもの以外のその他の適切な香料担体は、エタノール、水／エタノール混合物、リモネンまたはその他のテルペン、イソパラフィン、たとえば商標名Ｉｓｏｐａｒ（Ｒ）（入手元：Ｅｘｘｏｎ  Ｃｈｅｍｉｃａｌ）またはグリコールエーテルおよびグリコールエーテルエステル、たとえば商標名Ｄｏｗａｎｏｌ（Ｒ）（入手元：Ｄｏｗ  Ｃｈｅｍｉｃａｌ  Ｃｏｍｐａｎｙ）で知られているものであってもよい。「香料補助成分」とはここでは、付香用の調製物もしくは組成物において、心地よい効果を付与するために使用される化合物であって、上記のマイクロカプセルではないものを意味する。換言すれば、このような補助成分は、付香用のものであると考えられ、組成物に肯定的な、もしくは快い匂いを付与するか、または組成物の匂いを肯定的に、もしくは快いものに変性することができると当業者が認識することができる成分でなくてはならず、単に匂いを有するにすぎない成分ではない。
【０１６５】
付香用組成物中に存在する付香用補助成分の性質および種類は、ここでより詳細な記載を保証するものではなく、そのような記載はいずれにしても網羅的なものにはならず、当業者であれば、自身の一般的な知識に基づいて、かつ意図する使用もしくは適用と、所望される嗅覚的効果に応じて選択することができるであろう。一般的には、これらの付香用補助成分は、アルコール、ラクトン、アルデヒド、ケトン、エステル、エーテル、アセテート、ニトリル、テルペノイド、窒素もしくは硫黄を有する複素環化合物および精油といった様々な化学クラスに属するものであり、前記の付香用補助成分は、天然由来であっても、合成に由来するものであってもよい。これらの補助成分の多くは、いずれにしても、S. Arctanderの著書であるPerfume and Flavor Chemicals, 1969, Montclair, New Jersey, USAといった参考文献もしくはその最新版に列挙されているか、または同様の性質のその他の文献、ならびに香料分野における数多くの特許文献に記載されている。前記の補助成分は、様々なタイプの付香用化合物を制御された方法で放出することで知られている化合物であってもよいと理解される。
【０１６６】
「香料助剤」とはここでは、付加的な利益、たとえば色、特定の光に対する耐性、化学的安定性等を付与することができる成分であると理解する。付香ベースにおいて一般的に使用される助剤の性質および種類の詳細な記載は網羅的なものにはなりえないが、前記成分は、当業者に周知であることを言及しておかなくてはならない。
【０１６７】
好ましくは、本発明による付香用組成物は、上記のとおりのマイクロカプセルを０．０５〜４０質量％、好ましくは０．１〜４０質量％含む。
【０１６８】
消費者製品
本発明のマイクロカプセルは、活性成分と組み合わせて使用することができる。従って本発明の対象は、
（ｉ）上記のとおりのマイクロカプセル、
（ｉｉ）活性成分、好ましくは化粧用成分、スキンケア成分、香料成分、フレーバー成分、悪臭防止成分、殺菌成分、殺真菌成分、医薬もしくは農薬成分、消毒成分、昆虫忌避剤もしくは昆虫誘引剤、およびこれらの混合物からなる群から選択される活性成分
を含有する組成物である。
【０１６９】
本発明によるマイクロカプセルは、多くの適用分野において有利に使用することができ、また消費者製品において使用される。マイクロカプセルは、液状の消費者製品に適用することができる液状の形でも、粉末状の消費者製品に適用することができる粉末の形でも使用することができる。
【０１７０】
上記のとおりのマイクロカプセルを含有する消費者製品、好ましくはランドリーケア製品、ホームケア製品、ボディケア製品、スキンケア製品、ヘアケア製品、エアケア製品、または衛生製品の形態の消費者製品、あるいは上記のとおりの付香用組成物もまた、本発明の対象である。
【０１７１】
本発明のもう１つの対象は、
ａ）消費者製品の全質量に対して、２〜６５質量％の少なくとも１種の界面活性剤、
ｂ）水または水と混和可能な親水性有機溶剤、および
ｃ）上記のとおりのマイクロカプセルスラリー
ｄ）任意でカプセル封入されていない香料
を含有する液状の消費者製品である。
【０１７２】
また、
（ａ）消費者製品の全質量に対して２〜６５質量％の少なくとも１種の界面活性剤、
（ｂ）上記のとおりのマイクロカプセル粉末、
（ｃ）任意で、上記のとおりのマイクロカプセルとは異なった香料粉末
を含有する粉末状消費者製品もまた、本発明の対象である。
【０１７３】
香料オイルベースのコアを含むマイクロカプセルの場合、本発明の製品は、特に付香された消費者製品、たとえばファインフレグランスまたは「機能性」香料に属する製品において使用することができる。機能性香料は、特に、ヘアケア、ボディ洗浄、スキンケア、衛生ケアを含むパーソナルケア製品ならびにランドリーケアおよびエアケアを含むホームケア製品を含む。従って、本発明のもう１つの対象は、付香用成分、上記のとおりのマイクロカプセルまたは上記のとおりの付香用組成物を含有する付香された消費者製品である。前記の消費者製品の香料要素は、上記のとおりの香料マイクロカプセルと、カプセル封入されていない香料ならびにここに開示したマイクロカプセルとは異なるタイプの香料マイクロカプセルとの組合せであってもよい。
【０１７４】
特に、
ａ）消費者製品の全質量に対して、２〜６５質量％の少なくとも１種類の界面活性剤、
ｂ）水または水と混和可能な親水性有機溶剤、および
ｃ）上記のとおりの付香用組成物
を含む液状の消費者製品は、本発明の一部である。
【０１７５】
また、
（ａ）消費者製品の全質量に対して、２〜６５質量％の少なくとも１種の界面活性剤、および
（ｂ）上記のとおりの付香用組成物
を含む粉末状の消費者製品は、本発明の一部である。
【０１７６】
従って、本発明によるマイクロカプセルはそのままで、または本発明による付香用組成物の一部として、付香された消費者製品に添加することができる。
【０１７７】
明確性を考慮して、「付香された消費者製品」とは、様々な利益の中でも、その製品が適用される表面（たとえば皮膚、毛髪、テキスタイル、紙または家庭における表面）または空気（エアフレッシュナー、脱臭剤等）に、付香効果をもたらすことが期待されている消費者製品を意味することに言及しておかなくてはならない。換言すれば、本発明による付香された消費者製品は、利益をもたらす剤中でも本発明によるマイクロカプセルの有効量と一緒に「ベース」とも呼ばれる機能的な配合物を含む、製造された製品である。
【０１７８】
付香された消費者製品のその他の成分の性質および種類は、ここでより詳細な記載を保証するものではないが、そのような記載はいずれにしても網羅的なものにはならず、当業者であれば、自身の一般的な知識に基づいて、かつ前記製品の性質および所望される効果に従って選択することができるであろうであろう。本発明のマイクロカプセルを配合することができる消費者製品のベース配合物は、そのような製品に関する数多くの文献に見出すことができる。これらの配合物は、ここでは詳細な記載を保証するものではなく、そのような記載はいずれにしても網羅的なものにはならないであろう。そのような消費者製品を配合する当業者であれば、自身の一般的な知識と、入手可能な文献とに基づいて、適切な成分を好ましく選択することができるであろう。
【０１７９】
適切な香料消費者製品の非限定的な例は、香料、たとえばファインパフューマリー、コロン、アフターシェーブローション、繊維ケア製品、たとえば液体洗剤もしくは固形洗剤、タブレットおよびポッド、繊維柔軟剤、乾燥機用シート、繊維リフレッシュ剤、アイロン水、または漂白剤、ボディケア製品、たとえばヘアケア製品（たとえばシャンプー、ヘアコンディショナー、染毛用調製物またはヘアスプレー）、化粧用調製物（たとえばバニシングクリーム、ボディローション、またはデオドラント剤もしくは制汗剤）、またはスキンケア製品（たとえば付香された石けん、シャワー用もしくはバス用のムース、ボディウォッシュ、オイルもしくはジェル、バスソルト、または衛生用品）、エアケア製品、たとえばエアフレッシュナー、または「即時使用可能な」粉末状エアフレッシュナー、またはホームケア製品、たとえば多目的クリーナー、液状もしくは粉末状もしくはタブレット形の食器洗浄用製品、トイレ洗浄剤、または様々な表面を洗浄するための製品、たとえばテキスタイルまたは硬質表面（床、タイル、石張りの床等）の処理／リフレッシュを意図したスプレーおよびワイプ、衛生用品、たとえば生理用ナプキン、おむつ、トイレットペーパーであってよい。
【０１８０】
特定の実施態様によれば、消費者製品は、シャンプー、シャワージェル、リンスオフコンディショナー、棒状石けん、粉末状もしくは液状洗剤、繊維柔軟剤および床用洗剤からなる群から選択される。
【０１８１】
好ましい実施態様によれば、消費者製品は、シャンプーまたはリンスオフコンディショナーである。もう１つの好ましい実施態様によれば、製品は、付香された石けんである。もう１つの好ましい実施態様によれば、製品はボディウォッシュである。もう１つの好ましい実施態様によれば、製品は、ファブリックケア製品である。
【０１８２】
特定の１実施態様によれば、消費者製品は、繊維柔軟剤組成物の形であり、
−  ８５〜９９．８％の繊維柔軟剤活性ベース
−  ０．１〜１５質量％、より好ましくは０．２〜５質量％の本発明のマイクロカプセルスラリー
を含む。
【０１８３】
繊維柔軟剤活性ベースは、第四級アンモニウムのカチオン性界面活性剤、たとえばジエチルエステルジメチルアンモニウムクロリド（ＤＥＥＤＭＡＣ）、ＴＥＡＱ（トリエタノールアミンクォート）、ＨＥＱ（ハンブルクエステルクォート）を含有していてもよい。
【０１８４】
特定の１実施態様によれば、消費者製品は、付香用組成物の全質量に対して、
−  ０．１〜２０％の上記のとおりのマイクロカプセル、
−  ０〜４０％、好ましくは３〜４０％の香料、および
−  ３０〜９０質量％、好ましくは４０〜９０質量％のエタノール
を含有する付香用組成物の形である。
【０１８５】
消費者製品は好ましくは、０．０５質量％〜１５質量％、好ましくは０．１〜１５質量％、より好ましくは０．２〜５質量％の本発明のマイクロカプセルを含有する（なお、これらのパーセンテージは、消費者製品の全質量に対する質量によって定義される）。当然のことながら、上記の濃度は、それぞれの製品において望まれている嗅覚的効果に応じて調整することができる。
【０１８６】
表面上にマイクロカプセルを付着させる方法
マイクロカプセルシェル上の鉱物質層は、意外なことに付着効率および目標とする表面、たとえば毛髪および繊維上でのマイクロカプセルの保持を顕著に促進する。基材上にマイクロカプセルが適用されると、付着のパーセンテージは、公知のデリバリーシステムのものよりもはるかに高い。
【０１８７】
従って、本発明のもう１つの対象は、表面上にマイクロカプセルを付着させるための方法であり、これは前記表面を上記のとおりの付香用組成物で、または上記のとおりの消費者製品で処理することを含む。
【０１８８】
本発明のカプセルは、これまで知られていたデリバリーシステムよりもはるかにその付着率が優れていることから、リンスオフ適用において特に有用であることが判明した。
【０１８９】
ところで、実施例を用いて本発明をさらに詳細に記載する。これらの実施例によって特許請求の範囲に記載した発明を何ら限定することを意図したものではないことを認識されたい。
【実施例】
【０１９０】
例１
本発明により鉱物質で被覆されたポリ尿素ベースのマイクロカプセルの製造
第１表に記載の配合（マイクロカプセルＡまたはＣ）または第２表に記載の配合（マイクロカプセルＢまたはＤ）に従って、ポリ尿素マイクロカプセルを合成し、第３表に記載の香料オイルＡを封入した。次いでこれらのマイクロカプセルをこの実施例に記載の鉱物質前駆体の連続的な添加に供した。
【０１９１】
【表３】
2021528224.tif 000009
１）第３表に記載の付香用組成物
２）オイル堆積を定量化するためのトレーサー
３）キシリレンジイソシアネートのトリメチロールプロパン付加物、入手元：三井化学、ポリイソシアネート７５％／エチルアセテート２５％
４）SuperStabAA(R)、入手元：Nexira Inc.、Somerville、NJ
【０１９２】
【表４】
2021528224.tif 000010
１）第３表に記載の付香用組成物
２）オイル堆積を定量化するためのトレーサー
３）キシリレンジイソシアネートのトリメチロールプロパン付加物、入手元：三井化学、ポリイソシアネート７５％／エチルアセテート２５％
４）SuperStabAA(R)、入手元：Nexira Inc.、Somerville、NJ
【０１９３】
【表５】
2021528224.tif 000011
１）Firmenich社の商標名、ペンタデセノリド、入手元：スイス国ジュネーブ在、Firmenich SA社、
２）Firmenich社の商標名、メチル−シス−３−オキソ−２−ペンチル−１−シクロペンタンアセテート、入手元：スイス国ジュネーブ在、Firmenich SA社、
３）IFF社の商標名、７−アセチル−１，２，３，４，５，６，７，８−オクタヒドロ−１，１，６，７−テトラメチルナフタレン、
４）Givaudan社の商標名、３−（４−ｔｅｒｔ−ブチルフェニル）−２−メチルプロパナール。
【０１９４】
少なくとも１種のポリイソシアネート（たとえばキシリレンジイソシアネートのトリメチロールプロパン付加物、Takenate(R)D-110N）を香料オイル中に（Uvinul A Plusトレーサーと共に）溶解する。次いで乳化剤水溶液（たとえばアラビアゴム）に油相を添加し、Ultra-Turrax T25分散機を使用して２００００ｒｐｍで３分間均質化してＯ／Ｗエマルションを形成した。次いでこのエマルションを機械的なオーバーヘッド撹拌機を使用して５００ｒｐｍで撹拌した。次いで反応温度を１時間で徐々に７０℃に高め、７０℃で２時間保持してから、室温に冷却させた。コア・シェル型マイクロカプセルのスラリーが得られた。
【０１９５】
マイクロカプセルスラリー１５ｇをアルカリ性緩衝液（ｐＨ９）１３５ｇ中で希釈し、０．３モルの硝酸カルシウム溶液４．５ｍＬを添加する。閉鎖された反応器中で、カルシウムイオンがマイクロカプセルのアニオン性表面と相互作用するために十分な時間にわたって混合物をアンカー型撹拌機により２５０ｒｐｍで撹拌する。
（ｉ）二塩基性リン酸ナトリウムの０．１８モル溶液４．５ｍＬを６０分にわたってシリンジポンプを使用してゆっくり添加し（７５μＬ／分）、カルシウムカチオンをリン酸アニオンで堆積させることによりカプセル表面における鉱物質材料の核形成を誘発し、引き続き、さらに６０分間撹拌する。
（ｉｉ）次いで、体積７．５ｍＬの０．３モルの硝酸カルシウムと０．１８モルのリン酸ナトリウムを同時にシリンジポンプにより６０分間にわたってゆっくり添加し（それぞれ１２５μＬ／分）、引き続き１時間撹拌してさらに鉱物質を堆積させる。
（ｉｉｉ）次いで、体積３０ｍＬの０．３モルの硝酸カルシウムと０．１８モルのリン酸ナトリウムを同時に６０分間にわたってゆっくり添加し（５００μＬ／分）、引き続き６０分間撹拌してさらに鉱物質を堆積させる。このプロセスを再度繰り返してこの例では丈夫な鉱物質シェルを生成した。この添加を体系的に繰り返して所望の鉱物質シェルの厚さと特性とを達成することができる。
【０１９６】
【表６】
2021528224.tif 000012
【０１９７】
例２
発明によるポリ尿素ベースの対照カプセル（Ｘ）の製造
例１に記載したプロトコルと同様のプロトコルを使用し、第５表に記載の組成を用いて対照マイクロカプセルＸを製造したが、ただし対照カプセルは変性されていない（つまり鉱質化されていない）。
【０１９８】
【表７】
2021528224.tif 000013
１）付香用組成物は第３表に記載されている。
２）オイルの堆積を定量化するためのトレーサー
３）キシリレンジイソシアネートのトリメチロールプロパン付加物、入手元：三井化学、
４）SuperStabAA(R)、Nexira Inc.、Somerville、NJ
【０１９９】
例３
カプセルの特性決定および堆積結果
カプセルの顕微鏡写真：
マイクロカプセルを画像化するために、アルミニウム台紙に付着させ、次いで金／パラジウムプラズマによりスパッタコーティングしたカーボン紙上で、希釈したカプセルスラリーを乾燥させた。分析のために、台紙を走査型電子顕微鏡（JEOL 6010 PLUS LA）に設置した。カプセルＡおよびカプセルＢの画像は、それぞれ、図１、図２、図３、図４に示されており、平滑なポリ尿素マイクロカプセルを足場にして、突起のある鉱物質コーティングを成長させることで、安定した、耐久性のある、粗く鉱質化されたマイクロカプセルを生成できることが示されている。
【０２００】
他方、カプセルＸは、平滑で変性されていない表面を有している（図５）。
【０２０１】
マイクロカプセルＡにおけるエネルギー分散分光分析により、カーボンテープから分析されたオイル含有カプセルに関してリン酸カルシウム鉱物質コーティングの組成物におけるカルシウム（Ｃａ）およびリン（Ｐ）の元素の存在が確認される（図６参照）。カーボンテープの台紙上の単一のカプセルに関するＥＤＳスペクトルによる元素の酸素（Ｏ）、リン（Ｐ）、およびカルシウム（Ｃａ）の元素マッピングを実施し、鉱物質コーティングの存在が確認される。
【０２０２】
【表８】
2021528224.tif 000014
【０２０３】
毛髪上への付着試験
付着量を定量化するために、以下の手順を使用した。ミニサイズの毛髪サンプル５００ｍｇを、その山に向けて１４０ｍＬのシリンジを使用して水道水（３７〜３９℃）４０ｍLで濡らした。過剰の水を優しく１回絞り出し、ＵＶトレーサー（Uvinul A Plus）を含有するマイクロカプセルを含む界面活性剤混合物サンプル０．１ｍＬを、１００μＬのポジティブディスプレイスメント式ピペットを使用して適用した。界面活性剤混合物を、水平に１０回、および垂直に１０回分散させた。次いで水道水（３７〜３９℃）１００ｍＬをサンプルの山に向けてそれぞれの側に５０ｍＬ適用することでサンプルをすすいだ。過剰の水を優しく搾り出し、次いで毛髪サンプルを切断して、予め秤量しておいた２０ｍＬのシンチレーションバイアルに入れた。この方法をあと２回繰り返し、次いで切断された毛髪を含有しているバイアルを、真空炉中、５０〜６０℃（１００トル）で少なくとも５時間乾燥させた。乾燥プロセスの後で、バイアルを再度秤量して、バイアル中の毛髪の質量を決定した。カプセルを含有する界面活性剤混合物サンプル０．１ｍＬを、空のバイアルに添加することによってコントロールも準備した。次いで２００プルーフのエタノール４ｍＬをそれぞれのバイアルに添加し、これらを６０分間、超音波処理に供した。超音波処理の後、０．４５μｍのＰＴＦＥフィルターでサンプルを濾過し、ＵＶ検出器を使用してＨＰＬＣで分析した。界面活性剤混合物サンプルからのマイクロカプセルの付着割合を決定するために、毛髪サンプルから抽出したUvinulの量を、コントロールサンプルから抽出したUvinulの量と比較した。
【０２０４】
【表９】
2021528224.tif 000015
１）アクリルアミドプロピルトリモニウムクロリド／アクリルアミドコポリマー；入手元：ＢＡＳＦ社
【０２０５】
毛髪サンプル上での付着は、この簡潔化された界面活性剤混合物サンプルから測定されたが、これは、パーソナル洗浄用配合物、たとえばシャンプーまたはシャワージェルの代表例を意味するものである。結果は、図７に示されている。
【０２０６】
図７に示されているデータは、アニオン性アラビアゴムにより安定化されたカプセルへの鉱物質層の添加が、毛髪サンプルへの付着を、対照カプセルＸの１．８％から、鉱質化カプセルＡ、カプセルＢ、カプセルＣおよびカプセルＤの６％以上へと著しく増大させることを示している。本発明によるカプセルは従来技術によるカプセルよりも付着量が４倍に改善されている。
【０２０７】
例４
本発明のマイクロカプセルの熱重量分析プロファイル
マイクロカプセルの相対的な安定性ならびに有機および無機固体含有量の相対的な割合を決定するために、それぞれの鉱質化マイクロカプセルスラリーの少量サンプル（＜５０ｍｇ）で熱重量分析（ＴＧＡ）を実施した。これはサンプルを炉中に置き、温度を５０℃に上げ、５０℃の等温で２５０分保持してスラリーの水性部分を除去し、次いで温度を４００℃に上げ、等温で６０分保持して有機含分を燃焼させ、無機含分を残留させることによって実施した。
【０２０８】
図８は、全固体含分（有機および無機）が示されている当初の平坦部ならびに有機含分（オイルおよびポリマー）を燃焼させた後に残留する無機含分を示す第二の平坦部を示している。当初の平坦部から、マイクロカプセルＡおよびＢは、長期間にわたって高温下で有機コア材料を含有するために十分な安定性を有していることを示している。５０℃で２５０分にわたる等温の間でのＴＧＡ平坦部の特性は、マイクロカプセルＡおよびＢの両方に関して長期貯蔵安定性の指標となる。透過性、破損、または不安定なカプセルは、２５０分の等温ステップにおいて封入されているオイル含分を失うことが予測される。さらに、４００℃で６０分の第二の等温の後で、鉱質化カプセルの有意のフラクションが無機鉱物質材料であることが決定された。
【０２０９】
例５
繊維柔軟剤ベースおよびシャワージェルベース中でのマイクロカプセルの安定性
適用ベース中、高温に曝露した後でカプセルからのオイルの漏出量を決定するために、カプセル封入されていない対照オイルに対する漏出安定性に関してマイクロカプセルＡを試験した。繊維柔軟剤ベース（第８表参照）ならびにシャワージェルベース（第９表参照）へのカプセルに０．５質量％相当のオイルを封入し、３７℃の炉中において１週間後にＳＰＭＥ  ＧＣ／ＭＳによって分析した。
【０２１０】
安定性評価のためのプロトコル
サンプル１ｇを２０ｍｌのヘッドスペースバイアルに秤量し、セプタムで封をする。サンプルを６５℃で１０分間、平衡化する。ＳＰＭＥ繊維を６５℃で２０分間、蒸気相に曝露する。ＳＰＭＥ繊維を標準的なＧＣインジェクタ（スプリットレス）中、２５０℃で５分間脱着させる。Agilent GCMS（5977B MSD、7890B GC）またはその等価物で成分を分析する。全てのサンプルを、漏出１００％に相当するカプセル封入されていない参照コントロールと比較する。
【０２１１】
【表１０】
2021528224.tif 000016
【０２１２】
【表１１】
2021528224.tif 000017
１）四ナトリウムＥＤＴＡ、入手元：BASF社
２）アクリレートコポリマー、入手元：Noveon社
３）Ｃ１２〜Ｃ１５パレス硫酸ナトリウム、入手元：Zschimmer&Schwarz社
４）メチルクロロイソチアゾリノンおよびメチルイソチアゾリノン、入手元：Rohm&Haas社
【０２１３】
図９から、限定された量のポリイソシアネートを用いても本発明のマイクロカプセルは顕著なカプセル封入およびフレグランスオイルの安定化を示すことを結論付けることができる。カプセルは、長期にわたる安静性および性能の指標となる促進安定性試験として利用される、３７℃で１週間の、厳しく複雑な適用配合物中でのインキュベーション後でも、著量のオイルを保持している。安定性に関する結果は、シャワージェルおよび繊維柔軟剤適用においてカプセル封入されていないオイルに相当するものとの対比でプロットされている。
【０２１４】
例６
ＡＰ／ＤＥＯ適用における性能
制汗剤／デオドラント適用ベースからの摩擦前および摩擦後のマイクロカプセルの嗅覚的インパクトを評価するためのプロトコルは以下のとおりである：３インチ×５インチの吸取紙に、第１０表に記載の組成を有するロールオン型の制汗剤適用ベース１５０ｍｇを使用して、フレグランスオイル０．２質量％に相当する量のマイクロカプセルスラリーを適用する。前記ベースを除去することがないように前記ベースを優しくかつ均一に吸取紙に慎重に広げ、次いで室温で２４時間乾燥させる。次いで吸取紙を、パネリスト（１５名）により、１〜７のスケールを使用して、その嗅覚的強度（１＝認識可能な匂いなし、ないし７＝著しく強力な匂いの強度あり）に関して感覚的なインパクトを評価する。次いで吸取紙の表面を３回摩擦した後にフレグランス強度を再度、同じ強度スケールを使用して評価した。図１０に記載されているデータは、摩擦前および摩擦後に吸取紙から評価したそれぞれのサンプルの平均的な嗅覚的強度を示している。この吸取紙からのスクラッチ・アンド・スニフ試験の結果は、カプセルの顕著なバースト効果および感覚的性能が存在していることを示している。
【０２１５】
【表１２】
2021528224.tif 000018
【０２１６】
例７
界面活性剤組成物中での安定性
図１１は、第７表に記載の界面活性剤混合物サンプル中で３ヶ月インキュベーションした本発明による鉱質化マイクロカプセル（カプセルＣ）の走査型電子顕微鏡写真を示している。
【０２１７】
例８
噴霧乾燥したマイクロカプセル調製物
以下の成分を含有するエマルションＡ〜Ｅを製造する。
【０２１８】
【表１３】
2021528224.tif 000019
１）CapsulTM, Ingredion社、
２）マルトデキストリン 10DE、入手元： Roquette社、
３）マルトース、Lehmann & Voss社、
４）シリカ、Evonik社、
５）第１２表を参照のこと。
【０２１９】
【表１４】
2021528224.tif 000020
１）スイス国ジュネーブ在、Firmenich SA社、
２）３−（４−ｔｅｒｔ−ブチルフェニル）−２−メチルプロパナール、スイス国ヴェルニエ在、Givaudan SA社、
３）１−（オクタヒドロ−２，３，８，８−テトラメチル−２−ナフタレニル）−１−エタノン、米国在、International Flavors & Fragrances社、
４）スイス国ジュネーブ在、Firmenich SA社、
５）メチルジヒドロジャスモネート、スイス国ジュネーブ在、Firmenich SA社、
６）スイス国ジュネーブ在、Firmenich SA社。
【０２２０】
ポリマーマトリックス用の成分（マルトデキストリンおよびcapsul（登録商標）、またはcapsul（登録商標）、クエン酸およびクエン酸三カリウム）を完全に溶解するまで４５〜５０℃の水に添加する。エマルションＤについては、カプセル封入されていない香料Ｃを水相に添加する。マイクロカプセルスラリーを添加して混合物が得られる。次いで、得られる混合物を２５℃（室温）で優しく混合する。
【０２２１】
Sodeva Spray Dryer（フランス製）を使用して、空気入口温度を２１５℃に設定し、１時間あたりの処理量を５００ｍｌに設定して、エマルションＡ〜Ｅを噴霧乾燥することにより、造粒された粉末Ａ〜Ｅを製造する。空気出口温度は１０５℃である。噴霧前のエマルションは、周囲の温度である。
【０２２２】
例９
液体の香りブースター組成物
香料０．２％に相当する量を添加するために十分な量のマイクロカプセルスラリーＡ、Ｂ、ＣまたはＤを秤量し、液体香りブースター（第１３表）に混合する。
【０２２３】
【表１５】
2021528224.tif 000021
１）Deceth-8、:KLK Oleo社の商標および同社より入手、
２）Laureth-9;商標および入手元、
３）Plantacare 2000UP; BASF社の商標および同社より入手。
【０２２４】
以下のプロトコルに従って、様々なリンギングジェル組成物を製造する（組成物１〜６）。
【０２２５】
第１のステップで、水相（水）、存在する場合には溶剤（プロピレングリコール）および界面活性剤を室温でマグネチックスターラーにより３００ｒｐｍで５分間撹拌下に一緒に混合する。
【０２２６】
第２のステップで、リンカーを疎水性活性成分（フレグランス）中に室温でマグネチックスターラーにより３００ｒｐｍで撹拌下に溶解させる。得られる混合物を５分間混合する。
【０２２７】
次いで、水相及び油相を室温で５分間混合することで、透明な、または半透明なリンギングジェルが形成される。
【０２２８】
例１０
液体洗剤組成物
香料０．２％に相当する量を添加するために十分な量のマイクロカプセルスラリーＡ、Ｂ、ＣまたはＤを秤量し、液体洗剤（第１４表）に混合する。
【０２２９】
【表１６】
2021528224.tif 000022
１）Hostapur SAS60、入手元：Clariant社
２）Edenor K12-18、入手元：Cognis社
３）Genapol LA070、入手元：Clariant社
４）入手元：Genencor International社
５）Aculyn 88、入手元：Dow Chemical社
【０２３０】
例１１
粉末洗剤組成物
香料０．２％に相当する量を添加するために十分な量の顆粒Ａ〜Ｅを秤量し、粉末洗剤組成物（第１５表）に混合する。
【０２３１】
【表１７】
2021528224.tif 000023
【０２３２】
例１２
多目的クリーナー濃縮組成物
香料０．２％に相当する量を添加するために十分な量のマイクロカプセルスラリーＡ、Ｂ、ＣまたはＤを秤量し、多目的クリーナー濃縮組成物（第１６表）に混合する。
【０２３３】
【表１８】
2021528224.tif 000024
１）Neodol 91-8（Ｒ）;Shell Chemical社の商標および同社より入手、
２）Biosoft D-40（Ｒ）;Stepan Company社の商標および同社より入手、
３）Stepanate SCS（Ｒ）;Stepan Company社の商標および同社より入手、
４）Kathon CG（Ｒ）;Dow Chemical Company社の商標および同社より入手。
【０２３４】
全ての成分を一緒に混合し、次いでこの混合物を水で希釈して１００％とする。
【０２３５】
例１３
固体の匂いブースター組成物
以下の組成物を準備する。
【０２３６】
【表１９】
2021528224.tif 000025
【０２３７】
【表２０】
2021528224.tif 000026
【０２３８】
例１４
シャンプー組成物
香料０．２％に相当する量を添加するために十分な量のマイクロカプセルスラリーＡ、Ｂ、ＣまたはＤを秤量し、シャンプー組成物（第１９表）に混合する。
【０２３９】
【表２１】
2021528224.tif 000027
１）Ucare Polymer JR-400, Noveon社、
２）Schweizerhall社、
３）Glydant, Lonza社、
４）Texapon NSO IS, Cognis社、
５）Tego Betain F 50, Evonik社、
６）Amphotensid GB 2009, Zschimmer & Schwarz社、
７）Monomuls 90 L-12, Gruenau社、
８）Nipagin Monosodium, NIPA社。
【０２４０】
ポリクアテルニウム−１０を水中に分散させる。相Ａの残りの成分をその都度の添加の後に十分混合しながら順次添加することで、別途混合する。次いでこのプレミックスをポリクアテルニウム−１０分散液に添加し、５分間混合する。次いで、相Ｂおよびプレミックス相Ｃ（Texapon NSO IS中でMonomuls 90L-12を溶融させるために加熱）を添加する。混合物を十分に混合する。次いで相Ｄおよび相Ｅを撹拌下に添加する。ｐＨはクエン酸溶液を用いてｐＨが５．５〜６．０になるまで調整する。
【０２４１】
例１５
シャンプー組成物
香料０．２％に相当する量を添加するために十分な量のマイクロカプセルスラリーＡ、Ｂ、ＣまたはＤを秤量し、シャンプー組成物（第２０表）中に混合する。
【０２４２】
【表２２】
2021528224.tif 000028
１）EDETA B粉末、BASF社、
２）Jaguar C14 S, Rhodia社、
３）Ucare Polymer JR-400, Noveon社、
４）Sulfetal LA B-E, Zschimmer & Schwarz社、
５）Zetesol LA, Zschimmer & Schwarz社、
６）Tego Betain F 50, Evonik社、
７）Xiameter MEM-1691, Dow Corning社、
８）Lanette 16, BASF社、
９）Comperlan 100, Cognis社、
１０）Cutina AGS, Cognis社、
１１）Kathon CG, Rohm & Haas社、
１２）D-Panthenol, Roche社。
【０２４３】
グアーヒドロキシプロピルトリモニウムクロリドおよびポリクアテルニウム−１０を含有するプレミックスを撹拌下に水およびＥＤＴＡ四ナトリウムに添加する。混合物が均質になったら、ＮａＯＨを添加する。次いで、相Ｃの成分を添加し、混合物を７５℃に加熱した。相Ｄの成分を添加し、均質になるまで混合する。加熱を停止し、混合物の温度は室温まで低下する。４５℃で、相Ｅの成分を撹拌下に、２５％ＮａＣｌ溶液を用いて最終粘度に調整し、１０％ＮａＯＨ溶液でｐＨ５．５〜６に調整する。
【０２４４】
例１６
リンスオフ型ヘアケア組成物
香料０．２％に相当する量を添加するために十分な量のマイクロカプセルスラリーＡ、Ｂ、ＣまたはＤを秤量し、リンスオフ組成物（第２１表）に混合する。
【０２４５】
【表２３】
2021528224.tif 000029
１）Genamin KDMP、Clariant社
２）Tylose H10 YG4、信越化学
３）Lanette O、BASF社
４）Arlacel 165、Croda社
５）Incroquat Behenyl TMS-50-PA-(MH)、Croda社
６）Brij S20、Croda社
７）Xiameter MEM-949、Dow Chemical社
８）Alfa Aesar
【０２４６】
均質な混合物が得られるまで、相Ａの成分を混合する。Ｔｙｌｏｓｅを完全に溶解させる。次いでこの混合物を７０〜７５℃に加熱する。相Ｂの成分を合し、７０〜７５℃で溶融させる。次いで相Ｂの成分を十分に撹拌しながら相Ａに添加し、６０℃に冷めるまでこの混合を継続する。次いで相Ｃの成分を撹拌しながら添加し、混合物が４０℃に冷めるまで撹拌を継続する。クエン酸溶液でｐＨをｐＨ３．５〜４．０に調整する。
【０２４７】
例１７
無水の制汗スプレー組成物
香料０．２％に相当する量を添加するために十分な量のマイクロカプセルスラリーＡ、Ｂ、ＣまたはＤを秤量し、無水の制汗スプレー組成物（第２２表）に混合する。
【０２４８】
【表２４】
2021528224.tif 000030
１）Dow Corning（Ｒ）345 Fluid; Dow Corning社の商標および同社より入手、
２）Aerosil（Ｒ） 200 ; Evonik社の商標および同社より入手、
３）Bentone（Ｒ） 38;Elementis Specialities社の商標および同社より入手、
４）Micro Dry Ultrafine; 入手元:Reheis社。
【０２４９】
高速撹拌機を使用して、シリカおよびポリクアテルニウム−１８−ヘクトライトをイソプロピルミリステートおよびシクロメチコン混合物に添加する。完全に膨潤したら、混合物が均質になり、塊がなくなるまで撹拌下に少量ずつ、アルミニウムクロロヒドレートを添加する。エーロゾル缶を２５％の懸濁液および７５％のプロパン／ブタンで充填する（２．５バール）。
【０２５０】
例１８
制汗スプレーエマルション組成物
香料０．２％に相当する量を添加するために十分な量のマイクロカプセルスラリーＡ、Ｂ、ＣまたはＤを秤量し、制汗スプレーエマルション組成物（第２３表）に混合する。
【０２５１】
【表２５】
2021528224.tif 000031
１）Tween 65;CRODA社の商標および同社より入手、
２）Dehymuls PGPH;BASF社の商標および同社より入手、
３）Abil EM-90;BASF社の商標および同社より入手、
４）Dow Corning 345 fluid;Dow Corning社の商標および同社より入手、
５）Crodamol ipis;CRODA社の商標および同社より入手、
６）Phenoxyethanol;LANXESS社の商標および同社より入手、
７）Sensiva sc 50;KRAFT社の商標および同社より入手、
８）Tegosoft TN;Evonik社の商標および同社より入手、
９）Aerosil R 812;Evonik社の商標および同社より入手、
１０）Nipagin mna;CLARIANT社の商標および同社より入手、
１１）Locron L;CLARIANT社の商標および同社より入手。
【０２５２】
パートＡおよびパートＢの成分を別々に秤量する。パートＡの成分を６０℃に加熱し、パートＢの成分を５５℃に加熱する。パートＢの成分を少量、連続的に撹拌しながらパートＡに添加する。混合物が室温になるまで十分に撹拌する。次いでパートＣの成分を添加する。エマルションを混合し、エーロゾル缶に導入する。噴射剤を圧縮して添加する。
【０２５３】
エーロゾル充填：エマルション３０％、プロパン／ブタン７０％、２．５バール。
【０２５４】
例１９
デオドラントスプレー組成物
香料０．２％に相当する量を添加するために十分な量のマイクロカプセルスラリーＡ、Ｂ、ＣまたはＤを秤量し、制汗剤としてのデオドラントスプレー組成物（第２４表）に混合する。
【０２５５】
【表２６】
2021528224.tif 000032
１）Irgasan(R)DP 300、BASF社の登録商標、同社から入手
【０２５６】
第２４表の列に記載の全ての成分を混合し、かつ溶解する。次いでエーロゾル缶を充填し、圧着し、噴射剤を添加する（エーロゾル充填：活性溶液４０％、プロパン／ブタン６０％、２．５バール）。
【０２５７】
例２０
ロールオン型の制汗剤エマルション組成物
香料０．２％に相当する量を添加するために十分な量のマイクロカプセルスラリーＡ、Ｂ、ＣまたはＤを秤量し、ロールオン型の制汗剤エマルション組成物（第２５表）に混合する。
【０２５８】
【表２７】
2021528224.tif 000033
１）BRIJ 72; 入手元: ICI社、
２）BRIJ 721;入手元: ICI社、
３）ARLAMOL E;入手元: UNIQEMA-CRODA社、
４）LOCRON L;入手元: CLARIAN社。
【０２５９】
パートＡおよびパートＢを別々に７５℃に加熱する。パートＡを撹拌下にパートＢに添加し、混合物を１０分間均質化する。次いで、混合物を撹拌下に冷却させ、混合物が４５℃に達したらパートＣをゆっくり添加し、混合物が３５℃に達したら撹拌しながらパートＤを添加する。次いで、混合物をＲＴに冷却する。
【０２６０】
例２１
ロールオン型の制汗剤組成物
香料０．２％に相当する量を添加するために十分な量のマイクロカプセルスラリーＡ、Ｂ、ＣまたはＤを秤量し、ロールオン型の制汗剤組成物（第２６表）に混合する。
【０２６１】
【表２８】
2021528224.tif 000034
１）LOCRON L; 入手元: CLARIANT社、
２）EUMULGIN B-1; 入手元: BASF社、
３）EUMULGIN B-3; 入手元: BASF社。
【０２６２】
パートＢの成分を容器中で混合し、次いでパートＡの成分を添加する。次いで、パートＣをパートＡおよびパートＢ中で溶解する。香料と共に、十分に混合しながら、香料１部につき、Cremophor RH40  １部を添加する。
【０２６３】
例２２
ロールオン型の制汗剤組成物
香料０．２％に相当する量を添加するために十分な量のマイクロカプセルスラリーＡ、Ｂ、ＣまたはＤを秤量し、ロールオン型の制汗剤エマルション組成物（第２７表）に混合する。
【０２６４】
【表２９】
2021528224.tif 000035
１）Natrosol（Ｒ） 250 H;Ashland社の商標および同社より入手、
２）Irgasan（Ｒ） DP 300;BASF社の商標および同社より入手、
３）Cremophor（Ｒ） RH 40;BASF社の商標および同社より入手。
【０２６５】
タービンで迅速に撹拌しながら、ヒドロキシエチルセルロースを少量ずつ水中に散布することによりパートＡを製造する。ヒドロキシエチルセルロースが完全に膨潤して凝集したゲルが生じるまで撹拌を継続する。次いで撹拌を継続しながら、全体が均質になるまで、パートＢを少量ずつパートＡに添加する。パートＣを添加する。
【０２６６】
例２３
アルコール不含のデオドラントポンプの配合物
香料０．２％に相当する量を添加するために十分な量のマイクロカプセルスラリーＡ、Ｂ、ＣまたはＤを秤量し、以下の組成物（第２８表）に混合する。
【０２６７】
【表３０】
2021528224.tif 000036
１）Ceraphyl 41; ASHLAND社の商標および同社より入手、
２）DOW CORNING 200 FLUID 0.65cs; DOW CORNING CORPORATION社の商標および同社より入手、
３）Ceraphyl 28; ASHLAND社の商標および同社より入手、
４）Eutanol G; BASF社の商標および同社より入手、
５）Irgasan（Ｒ） DP 300; BASF社の商標および同社より入手。
【０２６８】
第２７表の全ての成分を表の列に記載のとおりに混合し、混合物をわずかに加熱して、セチルラクテートを溶解させる。
【０２６９】
例２４
アルコール不含のデオドラントポンプの配合物
香料０．２％に相当する量を添加するために十分な量のマイクロカプセルスラリーＡ、Ｂ、ＣまたはＤを秤量し、以下の組成物（第２９表）に混合する。
【０２７０】
【表３１】
2021528224.tif 000037
１）Softigen 767; CRODA社の商標および同社より入手、
２）Cremophor（Ｒ） RH 40; BASF社の商標および同社より入手。
【０２７１】
パートＢの成分を一緒に混合する。パートＡの成分を表の列に記載のとおりに溶解させ、パートＢに添加する。
【０２７２】
例２５
アルコール不含のデオドラントスティック配合物
香料０．２％に相当する量を添加するために十分な量のマイクロカプセルスラリーＡ、Ｂ、ＣまたはＤを秤量し、以下の組成物（第３０表）に混合する。
【０２７３】
【表３２】
2021528224.tif 000038
１）Edeta（Ｒ） B Power; BASF社の商標および同社より入手、
２）Cremophor（Ｒ） A25; BASF社の商標および同社より入手、
３）Tegosoft（Ｒ） APM; Evonik社の商標および同社より入手、
４）Irgasan（Ｒ） DP 300; BASF社の商標および同社より入手。
【０２７４】
パートＡの全ての成分を秤量し、７０〜７５℃に加熱する。他方のパートＡの成分を混合し、加熱したらCeteareth-25を添加する。Ceteareth-25が溶解したら、ステアリン酸を添加する。１，２−プロピレングリコール中にトリクロサンを溶解してパートＢを準備する。蒸発した分の水を添加する。混合下でパートＢをゆっくりパートＡに添加する。貯蔵のために、冷却後に密閉できるようにバケツの中にプラスチック袋を入れる。約７０℃で成形品を充填する。
【０２７５】
例２６
制汗スティック
香料０．２％に相当する量を添加するために十分な量のマイクロカプセルスラリーＡ、Ｂ、ＣまたはＤを秤量し、以下の組成物（第３１表）に混合する。
【０２７６】
【表３３】
2021528224.tif 000039
１）Dow Corning（Ｒ） 345 Fluid; Dow Corning社の商標および同社より入手、
２）Lanette（Ｒ） 18; BASF社の商標および同社より入手、
３）Tegosoft（Ｒ） PBE; Evonik社の商標および同社より入手、
４）Cutina（Ｒ） HR; BASF社の商標および同社より入手、
５）Summit AZP-908; Reheis社の商標および同社より入手。
【０２７７】
パートＡの全ての成分を秤量し、７０〜７５℃に加熱し、十分に混合する。パートＢの成分をパートＡ中に分散させる。混合物を混合し、６５℃でケースに入れる。
【０２７８】
例２７
デイクリーム
香料０．２％に相当する量を添加するために十分な量のマイクロカプセルスラリーＡ、Ｂ、ＣまたはＤを秤量し、以下の組成物（第３２表）に混合する。
【０２７９】
【表３４】
2021528224.tif 000040
【０２８０】
例２８
タルク配合物
香料０．２％に相当する量を添加するために十分な量の顆粒Ａ〜Ｅを秤量し、標準的なタルクベース、つまりタルク１００％で、特徴的な匂いがごく僅かであり、白色の粉末（入手元：LUZENAC）に混合する。
【０２８１】
例２９
シャワージェル組成物
香料０．２％に相当する量を添加するために十分な量のマイクロカプセルスラリーＡ、Ｂ、ＣまたはＤを秤量し、以下の組成物（第３３表）に混合する。
【０２８２】
【表３５】
2021528224.tif 000041
１）EDETA B POWDER; BASF社の商標および同社より入手、
２）CARBOPOL AQUA SF-1 POLYMER; NOVEON社の商標および同社より入手、
３）ZETESOL AO 328 U; trademark and origin: ZSCHIMMER & SCHWARZ社の商標および同社より入手、
４）TEGO-BETAIN F 50; GOLDSCHMIDT社の商標および同社より入手、
５）KATHON CG; ROHM & HASS社の商標および同社より入手。
【０２８３】
成分を混合し、ｐＨを６〜６．３に調整する（粘度：４５００ｃＰｏ±１５００ｃＰｏ）ブルックフィールドＲＶ／スピンドル＃４／２０ｒｐｍ）。
【０２８４】
例３０
シャワージェル組成物
香料０．２％に相当する量を添加するために十分な量のマイクロカプセルスラリーＡ、Ｂ、ＣまたはＤを秤量し、以下の組成物（第３４表）に混合する。
【０２８５】
【表３６】
2021528224.tif 000042
１）EDETA B POWDER; BASF社の商標および同社より入手、
２）ZETESOL AO 328 U; ZSCHIMMER & SCHWARZ社の商標および同社より入手、
３）TEGO-BETAIN F 50; GOLDSCHMIDT社の商標および同社より入手、
４）MERQUAT 550; LUBRIZOL社の商標および同社より入手。
【０２８６】
成分を混合し、ｐＨを４．５に調整する（粘度：３０００ｃＰｏ±１５００ｃＰｏ）ブルックフィールドＲＶ／スピンドル＃４／２０ｒｐｍ）。
【０２８７】
例３１
シャワージェル組成物
香料０．２％に相当する量を添加するために十分な量のマイクロカプセルスラリーＡ、Ｂ、ＣまたはＤを秤量し、以下の組成物（第３５表）に混合する。
【０２８８】
【表３７】
2021528224.tif 000043
１）EDETA B POWDER; BASF社の商標および同社より入手、
２）Texapon NSO IS; COGNIS社の商標および同社より入手、
３）MERQUAT 550; LUBRIZOL社の商標および同社より入手、
４）DEHYTON AB-30; COGNIS社の商標および同社より入手、
５）GLUCAMATE LT; LUBRIZOL社の商標および同社より入手、
６）EUPERLAN PK 3000 AM; COGNIS社の商標および同社より入手、
７）CREMOPHOR RH 40; BASF社の商標および同社より入手。
【０２８９】
成分を混合し、ｐＨを４．５に調整する（粘度：４０００ｃＰｏ±１５００ｃＰｏ）ブルックフィールドＲＶ／スピンドル＃４／２０ｒｐｍ）。
【０２９０】
例３２
手洗い用の食器用洗剤
香料０．２％に相当する量を添加するために十分な量のマイクロカプセルスラリーＡ、Ｂ、ＣまたはＤを秤量し、以下の組成物（第３６表）に混合する。
【０２９１】
【表３８】
2021528224.tif 000044
１）Biosoft S-118（Ｒ）; Stepan Company社の商標および同社より入手、
２）Ninol 40-CO（Ｒ）; Stepan Company社の商標および同社より入手、
３）Stepanate SXS（Ｒ）; Stepan Company社の商標および同社より入手、
４）Tergitol 15-S-9（Ｒ）; Dow Chemical Company社の商標および同社より入手。
【０２９２】
水と、水酸化ナトリウムおよびジエタノールアミドとを混合する。ＬＡＳを添加する。ＬＡＳが中和された後に、残りの成分を添加する。ｐＨを確認し（＝７〜８）、必要であれば調整する。
【０２９３】
例３３
歯磨き用ペースト配合物
フレーバー０．２％に相当する量を添加するために十分な量のマイクロカプセルスラリーＥ（マイクロカプセルＡに相当、ただしメンソールフレーバーがカプセル封入されている）を秤量し、以下の組成物（第３７表）に混合する。
【０２９４】
【表３９】
2021528224.tif 000045
１）Tixosil 73; 商標および入手元:
２）Tixosil 43; 商標および入手元。
【０２９５】
例３４
リン酸二カルシウムベースの歯磨き用ペースト配合物
フレーバー０．２％に相当する量を添加するために十分な量のマイクロカプセルスラリーＥ（マイクロカプセルＡに相当、ただしメンソールフレーバーがカプセル封入されている）を秤量し、以下の組成物（第３８表）に混合する。
【０２９６】
【表４０】
2021528224.tif 000046
１）Aerosil（Ｒ）200; 商標および入手元。
【０２９７】
例３５
アルコール不含のマウスウォッシュ配合物
フレーバー０．２％に相当する量を添加するために十分な量のマイクロカプセルスラリーＥ（マイクロカプセルＡに相当、ただしメンソールフレーバーがカプセル封入されている）を秤量し、以下の組成物（第３９表）に混合する。
【０２９８】
【表４１】
2021528224.tif 000047
【０２９９】
例３６
マウスウォッシュ配合物
フレーバー０．２％に相当する量を添加するために十分な量のマイクロカプセルスラリーＥ（マイクロカプセルＡに相当、ただしメンソールフレーバーがカプセル封入されている）を秤量し、以下の組成物（第４０表）に混合する。
【０３００】
【表４２】
2021528224.tif 000048
【図１】
2021528224.tif 000049
【図２】
2021528224.tif 000050
【図３】
2021528224.tif 000051
【図４】
2021528224.tif 000052
【図５】
2021528224.tif 000053
【図６】
2021528224.tif 000054
【図７】
2021528224.tif 000055
【図８】
2021528224.tif 000056
【図９】
2021528224.tif 000057
【図１０】
2021528224.tif 000058
【図１１】
2021528224.tif 000059
【国際調査報告】
2021528224.tif 000060
2021528224.tif 000061